(57)【特許請求の範囲】
【請求項１】
ＬＴＥベースの移動通信システムにおいて、ユーザ機器へのセミパーシステントなリソース割当てを無効にする方法であって、Ｎｏｄｅ  Ｂが、
新規データインジケータフィールドおよび変調・符号化方式フィールドを備えている制御シグナリングを前記ユーザ機器のために生成するステップであって、前記新規データインジケータフィールドおよび前記変調・符号化方式フィールドが、新規データインジケータの値と変調・符号化方式インデックスの所定の組合せであって、それに起因して、前記ユーザ機器が前記セミパーシステントなリソース割当てを無効にする、前記所定の組合せ、を含んでいる、ステップと、
前記制御シグナリングを制御チャネルを介して前記ユーザ機器に送信するステップであって、前記制御シグナリングに起因して、前記ユーザ機器が前記セミパーシステントなリソース割当てを無効にする、ステップと、
を実行する、
方法。
【請求項２】
前記新規データインジケータの値と前記変調・符号化方式インデックスの前記所定の組合せが、データパケットの再送信を示している前記新規データインジケータの値と、前記データパケットの最初の送信のトランスポートブロックサイズとは異なるトランスポートブロックサイズを前記ユーザ機器に示している前記変調・符号化方式インデックスである、
請求項１に記載の方法。
【請求項３】
前記変調・符号化方式フィールドが、複数の変調・符号化方式インデックスのうちの１つを示しており、トランスポートブロックサイズ情報を示さない少なくとも３つのインデックスのサブセットが存在し、
前記ユーザ機器が、
−  前記変調・符号化方式フィールドに、前記サブセットのうちの第１の所定の変調・符号化方式インデックスが示されている場合、上りリンクのセミパーシステントなリソース割当てを無効にし、
−  前記変調・符号化方式フィールドに、前記サブセットのうちの第２の所定の変調・符号化方式インデックスが示されている場合、下りリンクのセミパーシステントなリソース割当てを無効にし、
−  前記変調・符号化方式フィールドに、前記サブセットのうちの第３の所定の変調・符号化方式インデックスが示されている場合、下りリンクのセミパーシステントなリソース割当てと、上りリンクのセミパーシステントなリソース割当てを無効にする、
請求項１または２に記載の方法。
【請求項４】
前記制御シグナリングが、下りリンク送信のスケジューリングに使用される、前記ｅＮｏｄｅ  Ｂからの下りリンク制御シグナリングであり、上りリンクのセミパーシステントなリソース割当てを無効にするための前記第１の所定の変調・符号化方式インデックスを含んでいる、
請求項３に記載の方法。
【請求項５】
前記Ｎｏｄｅ  Ｂから前記ユーザ機器にＲＲＣメッセージをシグナリングするステップであって、前記ＲＲＣメッセージが、前記セミパーシステントなリソース割当ての周期性と、前記Ｎｏｄｅ  Ｂから前記ユーザ機器にシグナリングされる制御チャネルによって設定できる許可されるトランスポートブロックサイズの範囲とを示している、ステップ、
をさらに含んでいる、
請求項１〜４のいずれか１項に記載の方法。
【請求項６】
前記ＲＲＣメッセージが、前記セミパーシステントなリソース割当てに従っての前記ユーザ機器への下りリンク送信に使用されるＨＡＲＱプロセスに関するＨＡＲＱ情報、をさらに示している、
請求項５に記載の方法。
【請求項７】
前記変調・符号化方式フィールドが、複数の所定のインデックスのうちの１つを示しており、前記所定のインデックスの空ではないサブセットが、上りリンクデータ送信の変調方式と、トランスポートブロックサイズと、冗長バージョンとを一緒に符号化するために使用され、その一方で、残りのインデックスが、上りリンクデータ送信の冗長バージョンのみを符号化するために使用される、
請求項１〜６のいずれか１項に記載の方法。
【請求項８】
ＬＴＥベースの移動通信システムにおいて使用するためのＮｏｄｅ  Ｂであって、
新規データインジケータフィールドおよび変調・符号化方式フィールドを備えている制御シグナリングをユーザ機器のために生成するスケジューラであって、前記新規データインジケータフィールドおよび前記変調・符号化方式フィールドが、新規データインジケータの値と変調・符号化方式インデックスの所定の組合せであって、それに起因して、前記ユーザ機器が前記セミパーシステントなリソース割当てを無効にする、前記所定の組合せ、を含んでいる、スケジューラと、
前記制御シグナリングを制御チャネルを介して前記ユーザ機器に送信する送信器であって、前記制御シグナリングによって、前記ユーザ機器が前記セミパーシステントなリソース割当てを無効にする、送信器と、
を備えている、Ｎｏｄｅ  Ｂ。
【請求項９】
命令を格納しているコンピュータ読み取り可能な媒体であって、前記命令がＮｏｄｅ  Ｂのプロセッサによって実行されたとき、それに起因して、前記Ｎｏｄｅ  Ｂが、
新規データインジケータフィールドおよび変調・符号化方式フィールドを備えている制御シグナリングをユーザ機器のために生成するステップであって、前記新規データインジケータフィールドおよび前記変調・符号化方式フィールドが、新規データインジケータの値と変調・符号化方式インデックスの所定の組合せであって、それに起因して、前記ユーザ機器がセミパーシステントなリソース割当てを無効にする、前記所定の組合せ、を含んでいる、前記ステップと、
前記制御シグナリングを制御チャネルを介して前記ユーザ機器に送信するステップであって、前記制御シグナリングによって、前記ユーザ機器が前記セミパーシステントなリソース割当てを無効にする、前記ステップと、
によって、前記ユーザ機器の前記セミパーシステントなリソース割当てを無効にする、
コンピュータ読み取り可能な媒体。
【発明の詳細な説明】
【技術分野】
【０００１】
本発明は、ＬＴＥベースの移動通信システムにおいてユーザ機器のセミパーシステント(semi-persistent)なリソース割当てを無効にする(deactivating)方法に関する。さらに、本発明は、本方法を実施するユーザ機器(user equipment)およびｅＮｏｄｅ  Ｂに関する。
【背景技術】
【０００２】
ロングタームエボリューション（ＬＴＥ）
ＷＣＤＭＡ（Wideband Code Division Multiple Access：広帯域符号分割多元接続）無線アクセス技術をベースとする第３世代の移動通信システムは、世界中で広範な規模で配備されつつある。この技術を機能強化あるいは進化・発展させるうえでの最初のステップは、高速下りリンクパケットアクセス（ＨＳＤＰＡ）と、エンハンスト上りリンク（高速上りリンクパケットアクセス（ＨＳＵＰＡ）とも称する）とを導入することであり、これにより、極めて競争力の高い無線アクセス技術が提供される。
【０００３】
しかしながら、より長期的な展望においては、ますます増大するユーザの要求と、新しい無線アクセス技術におけるさらに厳しい競争のために、準備を行う必要がある。この課題を満たすため、３ＧＰＰは、サービスの提供およびコスト低減の面でのさらなる大きな飛躍を達成するための手段を検討することを目的として、Ｅ−ＵＴＲＡおよびＵＴＲＡＮに関する検討を開始した（非特許文献１および非特許文献２を参照）（http://www.3gpp.orgにおいて入手可能であり、いずれも参照によって本文書に組み込まれている）。３ＧＰＰは、この研究の出発点として、ＬＴＥ（ロングタームエボリューション）における一連の目標および要求条件を定義した（非特許文献３を参照）（http://www.3gpp.orgにおいて入手可能であり、参照によって本文書に組み込まれている）。例えば以下である。
【０００４】
−  ピークデータレートは、下りリンク方向が１００Ｍｂｐｓ以上、上りリンク方向が５０Ｍｂｐｓ以上
−  平均ユーザスループットを、上りリンクで２倍、下りリンクで３倍に高める
−  セルの周縁部のユーザスループットを、上りリンクおよび下りリンクで２倍に高める
−  スペクトル効率を、上りリンクで２倍、下りリンクで３倍に高める
−  制御プレーンの遅延を大幅に低減する
−  事業者およびエンドユーザにおけるコストを低減する
−  スペクトルの柔軟性：多くの異なるスペクトル割当てにおいて配備できる
【０００５】
高いビットレートを提供する能力は、ＬＴＥの重要な評価基準である。多入力多出力（ＭＩＭＯ）技術を使用して１つの端末に複数の並列するデータストリームを送信することは、これを達成するための１つの重要な要素である。使用する無線アクセス技術を決定するうえで考慮すべき別の要素は、より大きな送信帯域幅と、それと同時に時間的に柔軟性のあるスペクトル割当て（time flexible spectrum allocation）である。下りリンクにおいて適応多層ＯＦＤＭ（ＡＭＬ−ＯＦＤＭ）を選択すると、一般的には異なる帯域幅のみならず、特に高いデータレートのための大きな帯域幅での動作が促進される。１．２５ＭＨｚ〜２０ＭＨｚの範囲でスペクトル割当てを変化させることが、対応する数のＡＭＬ−ＯＦＤＭサブキャリアを割り当てることによってサポートされる。ＡＭＬ−ＯＦＤＭでは時分割二重および周波数分割二重の両方がサポートされるため、対のスペクトルおよび不対スペクトル（paired and unpaired spectrum）の両方における動作が可能である。
【０００６】
ＬＴＥのアーキテクチャ
図１は、全体的なアーキテクチャを示しており、図２は、Ｅ−ＵＴＲＡＮアーキテクチャを詳細に描いている。Ｅ−ＵＴＲＡＮは、基地局（３ＧＰＰの専門用語ではＮｏｄｅ  ＢまたはｅＮｏｄｅ  Ｂと称する）から構成され、基地局は、Ｅ−ＵＴＲＡユーザプレーン（ＰＤＣＰ／ＲＬＣ／ＭＡＣ／ＰＨＹ）プロトコルおよび制御プレーン（無線リソース制御：ＲＲＣ）プロトコルの、移動端末（３ＧＰＰの専門用語ではＵＥと称する）の側の終端となっている。
【０００７】
ｅＮｏｄｅ  Ｂは、物理（ＰＨＹ）層、メディアアクセス制御（ＭＡＣ）層、無線リンク制御（ＲＬＣ）層、およびパケットデータ制御プロトコル（ＰＤＣＰ）層（ユーザプレーンのヘッダ圧縮および暗号化の機能を含んでいる）をホストする。ｅＮｏｄｅ  Ｂは、制御プレーンに対応する無線リソース制御（ＲＲＣ）機能も提供する。ｅＮｏｄｅ  Ｂは、無線リソース管理、アドミッション制御、スケジューリング、交渉された上りリンクＱｏＳの実施、セル情報のブロードキャスト、ユーザプレーンデータおよび制御プレーンデータの暗号化／復号化、ＤＬ／ＵＬユーザプレーンパケットヘッダの圧縮／復元など、多くの機能を実行する。
【０００８】
ｅＮｏｄｅ  Ｂは、Ｘ２インタフェースによって互いに相互接続されている。さらに、ｅＮｏｄｅ  Ｂは、Ｓ１インタフェースによってＥＰＣ（Evolved Packet Core）に接続されており、より具体的には、Ｓ１−ＭＭＥによってＭＭＥ（移動管理エンティティ：Mobility Management Entity）に接続されており、Ｓ１−Ｕによってサービングゲートウェイ（Ｓ−ＧＷ：Serving Gateway）に接続されている。Ｓ１インタフェースは、ＭＭＥ／サービングゲートウェイとｅＮｏｄｅ  Ｂとの間の多対多関係をサポートする。ＳＧＷは、ユーザデータパケットのルーティングおよび転送を行う一方で、ｅＮｏｄｅ  Ｂ間ハンドオーバー時にユーザプレーンのモビリティアンカー（mobility anchor）としての役割と、ＬＴＥとそれ以外の３ＧＰＰ技術との間のモビリティのためのアンカーとしての役割も果たす（Ｓ４インタフェースを終端し、２Ｇ／３Ｇシステムとパケットデータネットワークゲートウェイ（ＰＤＮ  ＧＷ）との間でトラフィックを中継する）。ＳＧＷは、アイドル状態のＵＥに対しては、そのＵＥへの下りリンクデータが到着したとき下りリンクデータ経路の終端となりページングをトリガーする。ＳＧＷは、ＵＥのコンテキスト（例えば、ＩＰベアラサービスのパラメータ、ネットワーク内部ルーティング情報）を管理および格納する。さらに、ＳＧＷは、合法傍受（lawful interception）の場合にユーザトラフィックの複製を実行する。
【０００９】
ＭＭＥは、ＬＴＥのアクセスネットワークの主要な制御ノードである。ＭＭＥは、アイドルモードのＵＥの追跡・ページング手順（再送信を含む）の役割を担う。ＭＭＥは、ベアラの有効化(activation)／無効化(deactivation)プロセスに関与し、さらには、最初のアタッチ時と、コアネットワーク（ＣＮ）ノードの再配置を伴うＬＴＥ内ハンドオーバー時とに、ＵＥのＳＧＷを選択する役割も担う。ＭＭＥは、（ＨＳＳと対話することによって）ユーザを認証する役割を担う。
【００１０】
非アクセス階層（ＮＡＳ：Non-Access Stratum）シグナリングはＭＭＥを終端とし、ＭＭＥは、一時的なＩＤを生成してＵＥに割り当てる役割も担う。ＭＭＥは、サービスプロバイダの公衆地上移動網（ＰＬＭＮ：Public Land Mobile Network）に入るためのＵＥの認証をチェックし、ＵＥのローミング制限を実施する。ＭＭＥは、ＮＡＳシグナリングの暗号化／整合性保護においてネットワーク内の終端点であり、セキュリティキー管理を処理する。シグナリングの合法傍受も、ＭＭＥによってサポートされる。さらに、ＭＭＥは、ＬＴＥのアクセスネットワークと２Ｇ／３Ｇのアクセスネットワークとの間のモビリティのための制御プレーン機能と、ＳＧＳＮからＭＭＥを終端とするＳ３インタフェースとを提供する。さらに、ＭＭＥは、ローミングするＵＥのためのホームＨＳＳへのＳ６ａインタフェースを終端する。
【００１１】
周波数領域の適応処理を備えたＯＦＤＭ
ＡＭＬ−ＯＦＤＭ（Adaptive MiltiLayer-Orthorgonal Frequency Division Multiplex：適応多層−直交周波数分割多元接続）をベースとする下りリンクは、１５ｋＨｚ間隔の多数の個々のサブキャリアに基づいた周波数構造を有する。この周波数粒度によって、デュアルモードのＵＴＲＡ／Ｅ−ＵＴＲＡ端末を容易に実施することができる。高ビットレートに達する能力は、システムにおける遅延が短いことに大きく依存し、そのための必要条件は、サブフレームの持続時間が短いことである。結果として、ＬＴＥのサブフレームの持続時間は、無線インタフェースの遅延を最小にする目的で、１ｍｓもの短い時間に設定されている。さまざまな遅延スプレッドおよび対応するセルサイズに、さほど大きくないオーバーヘッド量で対処する目的で、ＯＦＤＭのサイクリックプレフィックス長は、２つの異なる値をとることができる。短い方の４．７ｍｓのサイクリックプレフィックスは、ほとんどのユニキャストシナリオにおける遅延スプレッドに対処するのに十分である。長い方の１６．７ｍｓのサイクリックプレフィックスでは、大きな時間分散を伴う極めて大きいセル（セル半径が１２０ｋｍまで、およびそれ以上）に対処することができる。この場合、長さは、サブフレーム内のＯＦＤＭシンボルの数を減らすことによって延びる。
【００１２】
直交周波数分割多元接続（ＯＦＤＭ）の基本的な原理は、周波数帯域を複数の狭帯域チャネルに分割することである。したがって、ＯＦＤＭでは、マルチパス環境に起因して周波数帯域全体のチャネルがたとえ周波数選択性であっても、比較的フラットな並列するチャネル（サブキャリア）上でデータを送信することができる。サブキャリアはそれぞれ異なるチャネル状態を経験するため、サブキャリアの容量は変動し、異なるデータレートにおいて各サブキャリア上で送信することができる。したがって、適応変調符号化（ＡＭＣ:Adaptive Modulation and Coding）による、サブキャリアごとの（周波数領域）リンクアダプテーション（ＬＡ）によって、サブキャリアを通じて異なるデータレートで送信することにより、無線効率が高まる。ＯＦＤＭＡでは、複数のユーザがＯＦＤＭシンボルあたり異なるサブキャリア上で同時に送信することができる。特定のサブキャリアにおいて、すべてのユーザに深いフェージングが発生する確率は極めて低いため、あるサブキャリアに対応するチャネル利得が良好であるユーザに、そのサブキャリアを割り当てるようにすることができる。スケジューラは、下りリンクのリソースをセル内の複数の異なるユーザに割り当てるとき、サブキャリアに対するユーザ側のチャネル状態に関する情報を考慮する。スケジューラは、ユーザによってシグナリングされる制御情報（すなわちＣＱＩ）によってマルチユーザダイバーシチを利用することができ、これによってスペクトル効率が高まる。
【００１３】
局在型モードと分散型モード
ＯＦＤＭＡにおけるように利用可能な周波数スペクトルを複数の異なるユーザの間で分配する無線アクセス方式を考慮するときには、２種類のリソース割当て方法を区別することができる。第１の割当てモードまたは「局在型」モード（localized mode）では、ＵＥには、そのＵＥまでの無線チャネル条件が最良であるサブキャリアを割り当てることによって、周波数スケジューリングの利得の利点を完全に受けることをめざす。このスケジューリングモードでは、関連するシグナリング（リソース割当てシグナリング、上りリンクにおけるＣＱＩ）が要求されるため、このモードは、高いデータレートが重要である非リアルタイムのサービスに最も適している。この局在型リソース割当てモードにおいては、サブキャリアの連続するブロックがユーザに割り当てられる。
【００１４】
第２のリソース割当てモードまたは「分散型モード」は、時間・周波数グリッド上に散在するリソースを割り当てることによって、周波数ダイバーシチ効果に依存して送信の堅牢性を達成する。局在型モードとの基本的な違いとして、このリソース割当てアルゴリズムは、受信側における受信品質に関する何らかの情報に基づいて物理リソースを割り当てることを試みるのではなく、特定のＵＥに割り当てるリソースを多かれ少なかれランダムに選択する。この分散型リソース割当て方法は、要求される関連するシグナリングが「局在型モード」よりも少ないため（迅速なＣＱＩが不要、迅速な割当てシグナリングが不要）、リアルタイムのサービスに最も適していると考えられる。
【００１５】
図３および図４は、ＯＦＤＭＡベースの無線アクセス方式のための２種類のリソース割当て方法を示している。図３（局在型送信モードを示している）から理解できるように、局在型モードは、送信される信号が、利用可能な全スペクトルの一部を占有する連続的なスペクトルを有することを特徴としている。送信される信号のシンボルレートが異なる（すなわちデータレートが異なる）ことは、局在化された信号の帯域幅（時間ビン／周波数ビン）が異なることを意味する。その一方で、図４から理解できるように、分散型モードは、送信される信号が、システムの帯域幅（時間ビン／周波数ビン）全体に多かれ少なかれ分散している不連続なスペクトルを有することを特徴としている。
【００１６】
ハイブリッドＡＲＱ方式
信頼できないチャネルを通じる場合、パケット送信システムにおける誤り検出・訂正のための一般的な手法は、ハイブリッド自動再送要求（ＨＡＲＱ：Hybrid Automatic Repeat reQuest）と称される。ハイブリッドＡＲＱは、順方向誤り訂正（ＦＥＣ）とＡＲＱの組合せである。
【００１７】
ＦＥＣ符号化されたパケットが送信され、受信側がそのパケットを正しく復号化できない場合（誤りは通常ではＣＲＣ（巡回冗長検査）によってチェックされる）、受信側はそのパケットの再送信を要求する。一般的には（および本文書全体を通じて）、追加情報を送信することを「（パケットの）再送信」と称するが、この再送信は、符号化された同じ情報の送信を必ずしも意味するものではなく、そのパケットに属する何らかの情報（例えば追加の冗長性情報）の送信を意味することもある。
【００１８】
送信を構成している情報（一般的には符号のビット／シンボル）に応じてと、受信側が情報を処理する方法に応じて、以下のハイブリッドＡＲＱ方式が定義されている。
【００１９】
タイプＩのＨＡＲＱ方式においては、受信側がパケットを正しく復号化できない場合、符号化されているパケットを破棄し、再送信を要求する。これは、すべての送信が個別に復号化されることを意味する。一般的には、再送信には最初の送信と同じ情報（符号のビット／シンボル）が含まれる。
【００２０】
タイプＩＩのＨＡＲＱ方式においては、受信側がパケットを正しく復号化できない場合、再送信を要求し、（正しく受信されなかった）符号化されているパケットの情報を軟情報（軟ビット／軟シンボル）として格納する。このことは、受信側に軟バッファ(soft-buffer)が要求されることを意味する。再送信は、前の送信と同じパケットと比較して同じ情報、部分的に同じ情報、または同じではない情報（符号のビット／シンボル）から構成することができる。受信側は、再送信を受信すると、軟バッファからの格納されている情報と、いま受信した情報とを合成し、合成された情報に基づいてパケットの復号化を試みる。（受信側は、送信の復号化を個別に試みることもできるが、送信を合成すると一般的にパフォーマンスが増大する。）送信の合成とは、いわゆる軟合成(soft-combining)を意味し、この場合、複数受信された（multiple received）符号のビット／シンボルを尤度合成し（likelihood combined）、単独に受信された（solely received）符号のビット／シンボルを符号合成する（code combined）。軟合成の一般的な方法は、受信された変調シンボルの最大比合成（ＭＲＣ）と、対数尤度比（ＬＬＲ）合成である（ＬＬＲ合成は符号のビットに対してのみ機能する）。
【００２１】
タイプＩＩ方式はタイプＩ方式よりも高度であり、なぜなら、パケットが正しく受信される確率が、再送信を受信するたびに増大するためである。この確率増大は、受信側に要求されるハイブリッドＡＲＱ軟バッファの代償として達成される。タイプＩＩのＨＡＲＱ方式を使用すると、再送信する情報量を制御することにより動的なリンクアダプテーションを実行することができる。例えば、受信側は、復号化が「ほとんど」成功したことを検出した場合、次の再送信において少量の情報（前の送信におけるよりも少ない数の符号のビット／シンボル）のみを送信するように要求することができる。この場合、再送信を考慮するだけでは、パケットを独力で正しく復号化することが理論的にも不可能である状況が起こりうる（自己復号化不能な再送信（non-self-decodable re-transmissions））。
【００２２】
タイプＩＩＩのＨＡＲＱ方式は、タイプＩＩの方式の部分集合と考えることができる。タイプＩＩＩの方式では、タイプＩＩの方式の必要条件に加えて、各送信が自己復号化可能でなければならない。
【００２３】
ユニキャストデータ送信におけるＨＡＲＱプロトコルの動作
信頼できないチャネルを通じてのパケット送信システムにおける誤り検出・訂正のための一般的な手法は、ハイブリッド自動再送要求（ＨＡＲＱ）と称する。ハイブリッドＡＲＱは、順方向誤り訂正（ＦＥＣ）とＡＲＱの組合せである。
【００２４】
ＦＥＣ符号化されたパケットが送信され、受信側がそのパケットを正しく復号化できない場合（誤りは通常ではＣＲＣ（巡回冗長検査）によってチェックされる）、受信側はそのパケットの再送信を要求する。
【００２５】
ＬＴＥには、信頼性を提供するための２つの再送信レベル、すなわち、ＭＡＣ層におけるＨＡＲＱと、ＲＬＣ層における外部ＡＲＱ（ｏｕｔｅｒ  ＡＲＱ）が存在する。外部ＡＲＱは、ＨＡＲＱによって訂正されずに残った誤りを処理するために必要であり、ＨＡＲＱは、１ビットの誤りフィードバックメカニズム（すなわち、ＡＣＫ／ＮＡＣＫ）を使用することによって単純な形に維持されている。ＮプロセスのストップアンドウェイトＨＡＲＱ（N-process stop-and-wait HARQ）が採用され、このＨＡＲＱは、下りリンクにおける非同期の再送信、上りリンクにおける同期再送信を有する。
【００２６】
同期ＨＡＲＱとは、ＨＡＲＱブロックの再送信が所定の周期間隔において行われることを意味する。したがって、再送信スケジュールを受信側に示すための明示的なシグナリングが要求されない。
【００２７】
非同期ＨＡＲＱでは、エアインタフェースの条件に基づいて再送信をスケジューリングする柔軟性が提供される。この場合、正しい合成およびプロトコル動作が可能であるように、ＨＡＲＱプロセスの何らかの識別情報をシグナリングする必要がある。３ＧＰＰ  ＬＴＥシステムにおいては、８個のプロセスを有するＨＡＲＱ動作が使用される。下りリンクデータ送信におけるＨＡＲＱプロトコルの動作は、ＨＳＤＰＡに類似し、場合によっては同じである。
【００２８】
上りリンクのＨＡＲＱプロトコル動作においては、再送信をスケジューリングする方法として２つの異なるオプションがある。再送信は、ＮＡＣＫによって「スケジューリングされる」（同期式非適応型再送信(synchronous non-adaptive retransmission)とも称する）、または、ＰＤＣＣＨを送信することによってネットワークによって明示的にスケジューリングされる（同期式適応型再送信(synchronous adaptive retransmission)とも称する）。同期式非適応型再送信の場合、前の上りリンク送信と同じパラメータを再送信において使用し（すなわち、再送信は同じ物理チャネルリソース上でシグナリングされる）、同じ変調方式および同じトランスポートフォーマットを使用する。
【００２９】
同期式適応型再送信はＰＤＣＣＨを介して明示的にスケジューリングされるため、ｅＮｏｄｅ  Ｂは、再送信において特定のパラメータを変更することができる。上りリンクにおける断片化（fragmentation）を回避する目的で、再送信を例えば異なる周波数リソース上にスケジューリングすることができ、あるいは、ｅＮｏｄｅ  Ｂは変調方式を変更する、あるいは、再送信に使用される冗長バージョンをユーザ機器に示すことができる。なお、ＨＡＲＱのフィードバック（ＡＣＫ／ＮＡＣＫ）とＰＤＣＣＨシグナリングは同じタイミングで行われることに留意されたい。したがって、ユーザ機器は、同期式非適応型再送信がトリガーされているか（すなわち、ＮＡＣＫのみが受信されたか）、またはｅＮｏｄｅ  Ｂが同期式適応型再送信を要求しているか（すなわち、ＰＤＣＣＨがシグナリングされているか）を、一度だけ確認するのみでよい。
【００３０】
第１層／第２層制御シグナリング
スケジューリング対象のユーザに、その割当てステータス、トランスポートフォーマット、およびその他のデータ関連情報（例：ＨＡＲＱ）について通知する目的で、第１層／第２層制御シグナリングが、下りリンク上でデータと一緒に送信される。この制御シグナリングは、サブフレーム内で下りリンクデータと一緒に多重化される（ユーザ割当てがサブフレーム単位で変化しうるものと想定する）。なお、ユーザ割当てはＴＴＩ（送信時間間隔(transmission time interval)）ベースで実行されることもあり、その場合、ＴＴＩ長はサブフレームの倍数であることに留意されたい。ＴＴＩ長は、サービスエリアにおいてすべてのユーザについて一定とする、ユーザごとに異なる長さをとる、あるいは、ユーザごとに動的な長さとすることもできる。一般的には、層１／層２制御シグナリングをＴＴＩごとに１回送信するのみでよい。
【００３１】
第１層／第２層制御シグナリングは、下り物理制御チャネル（ＰＤＣＣＨ）上で送信される。なお、上りリンクデータ送信のための割当て（上りリンク（スケジューリング）グラント）も、ＰＤＣＣＨ上で送信されることに留意されたい。
【００３２】
一般的には、第１層／第２層制御シグナリングにおいて送られる情報は、２つのカテゴリ、すなわち、共有制御情報(Shared Control Information)および専用制御情報(Dedicated Control Information)に分けることができる。
【００３３】
カテゴリ１の情報を伝える共有制御情報（ＳＣＩ：Shared Control Information）
層１／層２制御シグナリングのＳＣＩ部分は、リソース割当て（指示）に関連する情報を含んでいる。ＳＣＩは、一般には以下の情報を含んでいる。
【００３４】
−  ユーザＩＤ：割り当てる対象のユーザを示している
−  ＲＢ割当て情報：ユーザに割り当てられるリソース（リソースブロック：ＲＢ）を示している。なお、ユーザに割り当てられるＲＢの数は動的とすることができる
−  割当ての持続時間（オプション）：複数のサブフレーム（またはＴＴＩ）にわたる割当てが可能である場合
【００３５】
ＳＣＩは、他のチャネルの設定および専用制御情報（ＤＣＩ：Dedicated Control Information）の設定に応じて、上りリンク送信に対するＡＣＫ／ＮＡＣＫ、上りリンクスケジューリング情報、ＤＣＩに関する情報（例：リソース、ＭＣＳ）などの情報を、さらに含んでいることができる。
【００３６】
カテゴリ２／カテゴリ３の情報を伝える専用制御情報（ＤＣＩ）
層１／層２制御シグナリングのＤＣＩ部分は、カテゴリ１によって示されるスケジューリングされたユーザに送信されるデータの送信フォーマットに関連する（カテゴリ２）情報を含んでいる。さらに、（ハイブリッド）ＡＲＱを適用する場合、ＤＣＩ部分はＨＡＲＱ（カテゴリ３）情報を伝える。ＤＣＩは、カテゴリ１によるスケジューリング対象ユーザによって復号化されるのみでよい。
【００３７】
ＤＣＩは、一般には以下に関する情報を含んでいる。
【００３８】
−  カテゴリ２：変調方式、トランスポートブロック（ペイロード）サイズ（または符号化レート）、ＭＩＭＯ関連情報など。（注：トランスポートブロック（またはペイロードサイズ）あるいは符号化率のいずれかをシグナリングできる。いずれの場合も、これらのパラメータは、変調方式情報およびリソース情報（割り当てられたリソースブロックの数）を使用することによって相互に計算することができる。）
−  カテゴリ３：ＨＡＲＱ関連情報（例えば、ハイブリッドＡＲＱプロセス番号、冗長バージョン(redundancy version)、再送信シーケンス番号
【００３９】
第１層／第２層制御シグナリング情報の詳細
下りリンクデータ送信の場合、第１層／第２層制御シグナリングは個別の物理チャネル（ＰＤＣＣＨ）上で送信される。この第１層／第２層制御シグナリングは、一般に以下に関する情報を含んでいる。
【００４０】
−  データの送信に使用される（１つまたは複数の）物理リソース（例えば、ＯＦＤＭの場合のサブキャリアまたはサブキャリアブロック、ＣＤＭＡの場合の符号）。ＵＥ（受信側）は、データの送信に使用されているリソースをこの情報によって識別することができる
−  送信に使用されるトランスポートフォーマット。例えば、データのトランスポートブロックサイズ（ペイロードサイズ、情報ビットサイズ）、ＭＣＳ（変調・符号化方式:Modulation and Coding Scheme）レベル、スペクトル効率、符号化率などが挙げられる。ユーザ機器（受信側）は、復調、デ・レートマッチング（de-rate-matching）、および復号化プロセスを開始する目的で、情報ビットサイズ、変調方式、および符号化率を、この情報（通常はリソース割当て情報と組み合わせる）によって識別することができる。場合によっては、変調方式を明示的にシグナリングすることができる
−  ハイブリッドＡＲＱ（ＨＡＲＱ）情報：
・  プロセス番号：ユーザ機器は、データがマッピングされているハイブリッドＡＲＱプロセスを識別することができる
・  シーケンス番号（sequence number）または新規データインジケータ（new data indicator）：ユーザ機器は、送信が新しいパケットなのか再送信されたパケットなのかを識別することができる
・  冗長バージョンおよびコンステレーションバージョン：それぞれ、使用されているハイブリッドＡＲＱ冗長バージョン（デ・レートマッチングに必要である）、および、使用されている変調コンステレーションバージョン（復調に必要である）を、ユーザ機器に知らせる
−  ＵＥ識別情報（ＵＥ  ＩＤ）：第１層／第２層制御シグナリングの対象であるユーザ機器を識別する。一般的な実装形態においては、この情報は、制御情報が別のユーザ機器に読まれないように第１層／第２層制御シグナリングのＣＲＣをマスクするために使用される
【００４１】
上りリンクパケットデータ送信を可能にする目的で、送信の詳細についてユーザ機器に知らせるため、第１層／第２層制御シグナリングが下りリンク（ＰＤＣＣＨ）上で送信される。この第１層／第２層制御シグナリングは、一般には以下の情報を含んでいる
−  ユーザ機器がデータ送信に使用するべき（１つまたは複数の）物理リソース（例えば、ＯＦＤＭの場合にはサブキャリアまたはサブキャリアブロック、ＣＤＭＡの場合には符号）
−  送信にＵＥが使用するべきトランスポートフォーマット。例えば、データのトランスポートブロックサイズ（ペイロードサイズ、情報ビットサイズ）、ＭＣＳ（変調・符号化方式）レベル、スペクトル効率、符号化率などが挙げられる。ユーザ機器（送信側）は、変調、レートマッチング、および符号化プロセスを開始する目的で、情報ビットサイズ、変調方式、および符号化率を、この情報（通常はリソース割当て情報と組み合わせる）によって選択することができる。場合によっては、変調方式を明示的にシグナリングすることができる
−  ハイブリッドＡＲＱ（ＨＡＲＱ）情報：
・  プロセス番号：データの取得先のハイブリッドＡＲＱプロセスをユーザ機器に知らせる
・  シーケンス番号または新規データインジケータ：新しいパケットを送信するのか、あるいはパケットを再送信するのかをユーザ機器に知らせる
・  冗長バージョンもしくはコンステレーションバージョンまたはその両方：それぞれ、使用するハイブリッドＡＲＱ冗長バージョン（レートマッチングに必要である）、および、使用する変調コンステレーションバージョン（変調に必要である）を、ユーザ機器に知らせる
−  ＵＥ識別情報（ＵＥ  ＩＤ）：どのユーザ機器がデータを送信するのかを知らせる。一般的な実装形態においては、この情報は、制御情報が別のユーザ機器に読まれないように第１層／第２層制御シグナリングのＣＲＣをマスクするために使用される
【００４２】
上述したさまざまな情報を正確に送信する方法には、いくつか異なるバリエーションが存在する。さらには、第１層／第２層制御情報は、さらなる情報を含んでいることもでき、あるいは、いくつかの情報を省くことができる。例えば以下のとおりである。
【００４３】
−  同期ＨＡＲＱプロトコルの場合、ＨＡＲＱプロセス番号が必要ないことがある
−  例えば、チェィス合成（Chase Combining）を使用する（冗長バージョンあるいはコンステレーションバージョンが常に同じ）場合や、冗長バージョンあるいはコンステレーションバージョンのシーケンスが事前に定義されている場合には、冗長バージョンあるいはコンステレーションバージョンが必要ないことがある
−  電力制御情報を制御シグナリングにさらに含めることができる
−  ＭＩＭＯに関連する制御情報（例えばプリコーディング情報）を制御シグナリングにさらに含めることができる
−  複数の符号語によるＭＩＭＯ送信の場合には、複数の符号語のためのトランスポートフォーマットもしくはＨＡＲＱ情報またはその両方を含めることができる
【００４４】
ＬＴＥにおいてＰＤＣＣＨ上でシグナリングされる上りリンクリソース割当て（上り共有物理チャネル（ＰＵＳＣＨ）のための割当て）では、第１層／第２層制御情報にＨＡＲＱプロセス番号が含まれず、なぜなら、ＬＴＥの上りリンクには同期ＨＡＲＱプロトコルが採用されるためである。上りリンク送信に使用されるＨＡＲＱプロセスは、タイミングによって認識される。さらには、冗長バージョン（ＲＶ）情報は、トランスポートフォーマット情報と一緒に符号化され、すなわち、冗長バージョン情報はトランスポートフォーマット（ＴＦ）フィールドに埋め込まれることに留意されたい。ＴＦすなわちＭＣＳフィールド（変調・符号化方式フィールド）は、例えば５ビットのサイズを有し、これは３２個のインデックスに対応する。ＴＦ／ＭＣＳテーブルの３個のインデックスは、冗長バージョン（ＲＶ）１，２，３を示すために予約されている。残りのＭＣＳテーブルインデックスは、ＲＶ０を暗黙的に示すＭＣＳレベル（トランスポートブロックサイズ：ＴＢＳ）をシグナリングするために使用される。次の表１は、ＰＤＣＣＨ上での、上りリンク割当てのＴＢＳ／ＲＶのシグナリングを示している。図５は、上りリンクリソース割当てのための例示的なＰＤＣＣＨを示している。ＦＨ（周波数ホッピング）フィールド、巡回シフトフィールド、およびＣＱＩ（チャネル品質インデックス）フィールドは、物理層のパラメータであり、本文書に記載する本発明を理解するうえで特に重要ではないため、これらの説明は省く。ＰＤＣＣＨのＣＲＣフィールドのサイズは１６ビットである。上りリンクリソース割当てのためのＰＤＣＣＨに含まれている情報フィールド（例えばＤＣＩフォーマット０）に関するさらに詳しい説明は、非特許文献４（http://www.3gpp.orgにおいて入手可能）の第５．３．３．１節に記載されており、この文書は、その全体が参照によって本出願に組み込まれている。なお、トランスポートフォーマット、すなわち変調・符号化方式および冗長バージョン情報を提供するフィールドを「変調・符号化方式および冗長バージョン」と称する場合であっても、本発明の以下の説明では、単に変調・符号化方式（ＭＣＳ）フィールドと称する。
【００４５】
ＬＴＥにおいてＰＤＣＣＨ上でシグナリングされる下りリンクリソース割当て（下り共有物理チャネル（ＰＤＳＣＨ）のための割当て）においては、冗長バージョンが、２ビットのフィールドにおいて個別にシグナリングされる。さらには、変調次数（modulation order）情報がトランスポートフォーマット情報と一緒に符号化され、上りリンクの場合と同様に、ＰＤＣＣＨ上でシグナリングされる５ビットのＭＣＳフィールドが存在する。明示的な変調次数をシグナリングする目的に３つのインデックスが予約されており、すなわち、これらのインデックスはトランスポートフォーマット（トランスポートブロックサイズ）情報を提供しない。残りの２９個のインデックスは、変調次数およびトランスポートブロックサイズ情報を、後の表３に示したようにシグナリングする。下りリンクリソース割当てのためのＰＤＣＣＨフォーマットに関するさらに詳しい情報については、前出の非特許文献４の第５．３．３．１節を参照されたい。例えば、第５．３．３．１．３節には、ＰＤＳＣＨをスケジューリングするためのＤＣＩフォーマットの１つであるＤＣＩフォーマット１Ａが記載されている。下りリンク割当てにおいては、トランスポートブロックサイズおよび変調次数情報を提供するフィールドを「変調・符号化方式」フィールドと称し、本発明の説明においてもこの用語を使用する。
【００４６】
上りリンク／下りリンクのグラント受信挙動
一般的に、グラント受信手順（すなわち、リソース割当てを受信する手順）は、物理層とＭＡＣ層とに分かれている。物理層は、ＰＤＣＣＨ上の上りリンク／下りリンクリソース割当てを検出し、ＰＤＣＣＨフィールドから特定の情報を取り出して値を求め、それをＭＡＣ層に報告する。ＭＡＣ層は、プロトコル手順、すなわち、上りリンク／下りリンク送信のＨＡＲＱプロトコル動作の責務を負う。さらに、動的スケジューリングおよびセミパーシステントスケジューリング(semi-persistent scheduling)におけるスケジューリング手順も、ＭＡＣ層において処理される。
【００４７】
物理層は、上りリンクまたは下りリンクのＰＤＣＣＨ上でリソース割当てを受信すると、ＭＡＣ層において割当てをさらに処理するうえで要求される特定の情報を、受信したＰＤＣＣＨフィールドから求める必要がある。非特許文献５に記載されているように、物理層は、下りリンクリソース割当ての場合、ＰＤＳＣＨにおける変調次数およびトランスポートブロックサイズを求める必要がある。変調次数およびトランスポートブロックサイズの計算は、非特許文献５の第７．１．７節に記載されている。トランスポートブロックサイズと一緒にＨＡＲＱプロセスＩＤおよびＮＤＩビットをＭＡＣ層に供給し、これらの情報は、ＭＡＣ層が下りリンクＨＡＲＱプロトコル動作を実行するのに必要である。物理層（層１）からＭＡＣ（層２）に供給される情報は、ＨＡＲＱ情報とも称する。
【００４８】
物理層は、非特許文献５の第８．６節に記載されているように、下りリンクと同様に、上りリンクリソース割当てを含んでいる受信したＰＤＣＣＨから、変調次数およびトランスポートブロックサイズを計算する。物理層は、計算したトランスポートブロックサイズと、冗長バージョン（ＲＶ）と、ＰＤＣＣＨのＮＤＩ情報とを、ＨＡＲＱ情報の中でＭＡＣ層に報告する。
【００４９】
セミパーシステントスケジューリング（ＳＰＳ）
スケジューリングを行うｅＮｏｄｅ  Ｂは、上りリンクおよび下りリンクにおいて、各送信時間間隔において（１つまたは複数の）第１層／第２層制御チャネル（ＰＤＣＣＨ）を介してリソースをユーザ機器に動的に割り当て、この場合、ユーザ機器はそれぞれの固有のＣ−ＲＮＴＩによってアドレッシングされる。すでに説明したように、ＰＤＣＣＨのＣＲＣは、アドレッシングされるユーザ機器のＣ−ＲＮＴＩによってマスクされる（いわゆる動的なＰＤＣＣＨ）。一致するＣ−ＲＮＴＩを有するユーザ機器のみが、ＰＤＣＣＨの内容を正しく復号化することができ、すなわち、ＣＲＣチェックに合格する。この種類のＰＤＣＣＨシグナリングは、動的（スケジューリング）グラントとも称する。ユーザ機器は、自身に割り振られているかもしれない割当て（下りリンクおよび上りリンク）を見つける目的で、動的なグラントが存在していないか各送信時間間隔において（１つまたは複数の）第１層／第２層制御チャネルを監視する。
【００５０】
さらに、Ｅ−ＵＴＲＡＮでは、最初のＨＡＲＱ送信のための上りリンク／下りリンクリソースをパーシステントに（持続的に）割り当てることができる。再送信が必要な場合、（１つまたは複数の）第１層／第２層制御チャネルを介して明示的にシグナリングされる。再送信はスケジューリングされるため、この種類の動作をセミパーシステントスケジューリング（ＳＰＳ）と称し、すなわち、リソースはセミパーシステントベースで（半持続的に）ユーザ機器に割り当てられる（セミパーシステントなリソース割当て）。その利点は、最初のＨＡＲＱ送信のためのＰＤＣＣＨリソースが保存されることである。セミパーシステントスケジューリングの詳細については、非特許文献６または非特許文献７（いずれもhttp://www.3gpp.orgにおいて入手可能であり、参照によって本文書に組み込まれている）を参照されたい。
【００５１】
セミパーシステントスケジューリングを使用してスケジューリングすることのできるサービスの一例は、ボイスオーバーＩＰ（ＶｏＩＰ）である。トーク・スパート（ｔａｌｋ−ｓｐｕｒｔ）の間、コーデックにおいて２０ｍｓごとにＶｏＩＰパケットが生成される。したがって、ｅＮｏｄｅ  Ｂは、上りリンクリソースまたは下りリンクリソースを２０ｍｓごとにパーシステントに割り当てることができ、これらのリソースを使用してボイスオーバーＩＰのパケットを送信することができる。一般的には、セミパーシステントスケジューリングは、トラフィック挙動が予測可能であるサービス（すなわち、ビットレートが一定であり、パケットが周期的に到着する）において利点がある。
【００５２】
ユーザ機器は、最初の送信のためのリソースがパーシステントに（持続的に）割り当てられているサブフレーム内で、ＰＤＣＣＨも監視する。動的（スケジューリング）グラント（すなわち、Ｃ−ＲＮＴＩによってマスクされたＣＲＣを有するＰＤＣＣＨ）を、セミパーシステントなリソース割当てよりも優先させることができる。ユーザ機器が、セミパーシステントに割り当てられたリソースを有するサブフレーム内において、（１つまたは複数の）第１層／第２層制御チャネル上の自身のＣ−ＲＮＴＩを見つけた場合、その送信時間間隔においては、その第１層／第２層制御チャネル割当てがセミパーシステントなリソース割当てよりも優先し、ユーザ機器は、その動的なグラントに従う。サブフレーム内に動的なグラントが検出されない場合、ユーザ機器はセミパーシステントなリソース割当てに従って送信／受信を行う。
【００５３】
セミパーシステントスケジューリングの設定は、ＲＲＣシグナリングによって行われる。例えば、パーシステント割当ての周期（すなわちＰＳ＿ＰＥＲＩＯＤ）は、無線リソース制御（ＲＲＣ）シグナリングにおいて伝えられる。パーシステント割当ての有効化および正確なタイミングと、物理リソースおよびトランスポートフォーマットパラメータは、ＰＤＣＣＨシグナリングを介して送られる。セミパーシステントスケジューリングがいったん有効になると、ユーザ機器は、ＳＰＳを有効にするＰＤＣＣＨに基づくセミパーシステントなリソース割当てに、ＰＳ＿ＰＥＲＩＯＤごとに従う。本質的には、ユーザ機器は、ＳＰＳを有効にするＰＤＣＣＨの内容を格納し、シグナリングされた周期においてＰＤＣＣＨに従う。
【００５４】
動的なＰＤＣＣＨと、セミパーシステントスケジューリング（ＳＰＳ）を有効にするＰＤＣＣＨ（ＳＰＳ有効化ＰＤＣＣＨとも称する）とを区別する目的で、個別の識別情報を導入する。基本的には、ＳＰＳ有効化ＰＤＣＣＨのＣＲＣを、この追加の識別情報（以下ではＳＰＳ  Ｃ−ＲＮＴＩと称する）によってマスクする。ＳＰＳ  Ｃ−ＲＮＴＩのサイズも、通常のＣ−ＲＮＴＩと同じ１６ビットである。さらには、ＳＰＳ  Ｃ−ＲＮＴＩはユーザ機器に固有でもあり、すなわち、セミパーシステントスケジューリングについて設定される各ユーザ機器に一意のＳＰＳ  Ｃ−ＲＮＴＩが割り当てられる。
【００５５】
ユーザ機器は、セミパーシステントなリソース割当てが有効にされることを、対応するＳＰＳ  ＰＤＣＣＨによって検出した場合、ＰＤＣＣＨの内容（すなわち、セミパーシステントなリソース割当て）を格納し、セミパーシステントスケジューリング間隔（すなわちＲＲＣを介してシグナリングされる周期）ごとに、その内容を適用する。前述したように、動的な割当て（すなわち、動的なＰＤＣＣＨ上でシグナリングされる割当て）は、「１回限りの割当て」であるにすぎない。
【００５６】
ｅＮｏｄｅ  Ｂは、セミパーシステントスケジューリングを有効にするのと同様に、セミパーシステントスケジューリングを無効にすることもできる。セミパーシステントスケジューリングの割当ての解放をシグナリングする方法には、いくつかのオプションが存在する。１つのオプションは、ＰＤＣＣＨシグナリングを使用する（すなわち、ＳＰＳ  ＰＤＣＣＨがサイズ０のリソース割当てを示す）ことであり、もう１つのオプションは、ＭＡＣ制御シグナリングを使用することである。
【００５７】
ＳＰＳの誤った有効化の低減
ユーザ機器が、割当てが存在していないかＰＤＣＣＨを監視するとき、ＰＤＣＣＨを自身を対象としているものと誤って判定してしまう特定の確率（誤アラーム率 (false alarm rate)）が常に存在する。本質的には、ＰＤＣＣＨがそのユーザ機器を対象としていない場合でもＰＤＣＣＨのＣＲＣチェックが正しいという状況、すなわち、ＵＥの識別子（ＵＥ  ＩＤ）が一致していない（対象ではないユーザ）場合でもＣＲＣが合格するという状況が起こりうる。このようないわゆる「誤アラーム」は、一致していないＵＥ  ＩＤが、無線チャネルに起因する送信誤りに起因して一致してしまう場合に起こりうる。ＰＤＣＣＨが間違って正常に復号化されてしまう確率は、ＣＲＣの長さに依存する。ＣＲＣの長さが長いほど、ＣＲＣによって保護されているメッセージが間違って正常に復号化される確率が低い。１６ビットのサイズのＣＲＣでは、誤アラームの確率は１．５×１０−５である。なお、動的なＰＤＣＣＨ（動的なＣ−ＲＮＴＩ）とＳＰＳ  ＰＤＣＣＨ（ＳＰＳ  Ｃ−ＲＮＴＩ）とを区別するための個別の識別情報が導入されるため、誤アラームの頻度はさらに高いことに留意されたい。
【００５８】
一見したところ、確率は十分に低いように思われるかもしないが、セミパーシステントスケジューリングのＰＤＣＣＨが間違って正常に復号化される影響は、以下に概説するように極めて重大である。この影響は、特に上りリンクのパーシステント割当ての場合に重大であるため、上りリンクのセミパーシステントなリソース割当てが誤って有効にされる場合を中心に説明する。
【００５９】
ＵＥがＳＰＳ  ＵＬ  ＰＤＣＣＨ（すなわち、セミパーシステントなリソース割当ての上りリンクリソース割当て）を誤って検出する場合、ＰＤＣＣＨの内容は何らかのランダムな値である。結果として、ＵＥは、誤判定されたグラントにおいて読み取った何らかのランダムなリソースブロック位置および帯域幅を使用してＰＵＳＣＨ上で送信し、これによりｅＮｏｄｅ  Ｂにおいて上りリンク干渉が発生する。リソース割当てフィールドがランダムな値であるため、ＵＥは５０％の確率でシステムの帯域幅の半分以上を妨害する。ユーザ機器は、（誤判定された）セミパーシステントな上りリンクリソース割当てに対応するタイミングにおいてＡＣＫ／ＮＡＣＫを待つ。ｅＮｏｄｅ  Ｂはそのユーザ機器には何らのデータも送信せず、ユーザ機器は自身の送信に対する「アクノリッジメント」（ＡＣＫ／ＮＡＣＫ）を極めてランダムに復号化する。ＮＡＣＫを受信すると、ユーザ機器は、同期式非適応型再送信を実行する。ＡＣＫを受信すると、ユーザ機器は、次のＳＰＳが発生するまで動作停止し、ＭＡＣは、ｅＮｏｄｅ  Ｂがトランスポートブロックを正常に受信して復号化したものと想定する。
【００６０】
本質的には、上りリンクのセミパーシステントなリソース割当てが誤って有効になる結果として、通常の音声通話中に、トーク・スパートの全体または一部分が何度か失われることがある。さらには、上りリンクのセミパーシステントなリソース割当てが誤って有効になることによって、システムへの不必要な干渉が生じる。
【００６１】
このように結果は重大であるため、セミパーシステントスケジューリングの誤った有効化の平均時間を大幅に増大させることが望ましい。誤アラーム率（false alarm rate）を許容レベルまで下げるための１つの手段は、１６ビットのＣＲＣを拡張する目的で「仮想ＣＲＣ」を使用することである。セミパーシステントスケジューリングを有効にする目的には有用ではないいくつかのＰＤＣＣＨフィールドに、特定の既知の値を設定することによって、ＣＲＣフィールドの長さを仮想的に拡張することができる。ユーザ機器は、これらのフィールドの値が正しくない場合、セミパーシステントなリソース有効化を示すＰＤＣＣＨを無視するものとする。セミパーシステントスケジューリングを使用してのＭＩＭＯ動作は、さほど有用ではないと考えられるため、仮想ＣＲＣの長さを増大させる目的で、対応するＰＤＣＣＨフィールドを使用することができる。さらなる一例は、ＮＤＩフィールドである。すでに説明したように、ＮＤＩビットは、セミパーシステントスケジューリングの有効化においてＰＤＣＣＨ上で０に設定されている必要がある。セミパーシステントスケジューリングの有効化に使用可能であるトランスポートブロックサイズのセットを制限することによって、誤アラーム率をさらに下げることができる。
【００６２】
上述したように、セミパーシステントスケジューリングのリソースの解放は、ＳＰＳを有効にするときと同様にＰＤＣＣＨによってシグナリングされる。ＳＰＳのリソースを効率的に使用するためには、リソースを迅速に再割り当てできることが望ましく、例えばＶｏＩＰにおいては、音声の無音期間中にパーシステント割当てを明示的に解放した後、無音期間が終了した時点で再び有効にする。したがって、セミパーシステントスケジューリングのリソースを解放するとき、ＳＰＳ  ＲＲＣ設定（例：ＰＳ＿ＰＥＲＩＯＤ）は、ＲＲＣシグナリングによって変更されるまでは有効なままであることに留意されたい。したがって、セミパーシステントスケジューリングの明示的な解放（無効化）を効率的に行うため、ＰＤＣＣＨが使用される。
【００６３】
１つの可能な方法は、サイズが０であるリソース割当てによって、セミパーシステントスケジューリングの有効化を送ることである。サイズが０である割当ては、０個の物理リソースブロック（ＲＢ）のリソース割当てに相当し、これにより、セミパーシステントなリソース割当てが実質的に無効になる。この解決方法においては、ＰＤＣＣＨメッセージ（すなわち、上りリンク／下りリンクのリソース割当て）が、１つの可能なリソースブロック割当てとして「０ＲＢ」を示すことができることが要求される。このことは、３ＧＰＰにおいて合意されているＰＤＣＣＨフォーマットでは可能ではないため、ＰＤＳＣＨおよびＰＵＳＣＨのリソースブロック割当てフィールドに新しい「０ＲＢ」のエントリを導入する必要がある。しかしながら、この導入は、ユーザ機器における物理層とＭＡＣ層の間のインタラクションにも影響し、なぜなら、セミパーシステントなリソース割当ての無効化をＭＡＣ層に通知するように、物理層をさらに適合させる必要があるためである。
【先行技術文献】
【非特許文献】
【００６４】
【非特許文献１】3GPP Tdoc. RP-040461, ”Proposed Study Item on Evolved UTRA and UTRAN“
【非特許文献２】3GPPTR 25.912: ”Feasibility study for evolved Universal Terrestrial Radio Access (UTRA) and Universal Terrestrial Radio Access Network (UTRAN)”, version 7.2.0, June 2007
【非特許文献３】3GPP TR 25.913, “Requirements for Evolved UTRA and Evolved UTRAN”, version 7.3.0, March 2006
【非特許文献４】3GPP TS 36.212 ”Evolved Universal Terrestrial Radio Access (E-UTRA); Multiplexing and channel coding (Release 8)”, version 8.3.0, June 2008
【非特許文献５】3GPP TS 36.213
【非特許文献６】3GPP TS 36.300, “Evolved Universal Terrestrial Radio Access (E-UTRA) and Evolved Universal Terrestrial Radio Access Network (E-UTRAN); Overall description; Stage 2 (Release 8)”, version 8.5.0, June 2008
【非特許文献７】3GPP TS 36.321 “Evolved Universal Terrestrial Radio Access (E-UTRA); Medium Access Control (MAC) protocol specification (Release 8)”, version 8.2.0, June 2008
【発明の概要】
【発明が解決しようとする課題】
【００６５】
本発明の１つの目的は、ＬＴＥシステムにおいてセミパーシステントなリソース割当てを無効にするメカニズムであって、物理層とＭＡＣ層の間のインタフェースの変更が要求されない、もしくは、３ＧＰＰによって合意されているＰＤＣＣＨフォーマットの変更が好ましくは要求されない、またはその両方であるメカニズム、を提供することである。
【課題を解決するための手段】
【００６６】
この目的は、独立請求項の主題によって解決される。本発明の有利な実施形態は、従属請求項の主題である。
【００６７】
本発明の一態様は、セミパーシステントなリソース割当ての無効化コマンドとして、制御チャネルシグナリングの特殊な内容を定義することにより、セミパーシステントなリソース割当てに関連する（既存の）物理制御チャネルシグナリングを使用して、ユーザ機器へのセミパーシステントなリソース割当てを無効にする（言い換えれば、セミパーシステントなリソース割当てのグラントを解放する）ことである。より具体的には、制御チャネルシグナリングは、新規データインジケータ（ＮＤＩ：New Data Indicator）フィールドおよび変調・符号化方式フィールドを含んでおり、新規データインジケータの値と、変調・符号化方式フィールドの中でシグナリングされる変調・符号化方式インデックスとの特定の組合せが、セミパーシステントなリソース割当ての無効化を示すものとして定義される。
【００６８】
本発明の第２の代替態様によると、セミパーシステントなリソース割当ては、ＲＲＣシグナリングによって設定される。ＲＲＣシグナリングは、特殊なトランスポートブロックサイズをユーザ機器に示し、このトランスポートブロックサイズは、セミパーシステントなリソース割当てのリソース割当てにおいて物理制御チャネル上で示されたとき、セミパーシステントなリソース割当てを無効にするようにユーザ機器に命令する。
【００６９】
本発明の両方の態様は、リソース割り当て（グラント）の処理に関するユーザ機器の動作に影響せず、したがって、３ＧＰＰによって現在定義されている物理層とＭＡＣ層との間のインタフェースにも影響しない。
【００７０】
一実施形態による本発明は、ＬＴＥベースの移動通信システムにおいてセミパーシステントなリソース割当てを無効にする方法に関する。ユーザ機器（３ＧＰＰの専門用語における移動端末）は、新規データインジケータフィールドおよび変調・符号化方式フィールドを含んでいる制御シグナリングを受信する。この制御シグナリングは、ｅＮｏｄｅ  Ｂ（ＬＴＥシステムにおける基地局）から制御チャネル（ＰＤＣＣＨなど）を介して受信される。制御シグナリングの新規データインジケータフィールドおよび変調・符号化方式フィールドが、新規データインジケータの値と変調・符号化方式インデックスの所定の組合せを示している場合、ユーザ機器は、セミパーシステントなリソース割当てを無効にする。
【００７１】
本発明の別の実施形態は、ｅＮｏｄｅ  Ｂの動作に関する。ｅＮｏｄｅ  Ｂは、新規データインジケータフィールドおよび変調・符号化方式フィールドを備えている制御シグナリングをユーザ機器のために生成する。新規データインジケータフィールドおよび変調・符号化方式フィールドは、新規データインジケータの値と変調・符号化方式インデックスの所定の組合せであって、それに起因して、ユーザ機器がセミパーシステントなリソース割当てを無効にする、所定の組合せ、を含んでいる。ｅＮｏｄｅ  Ｂは、制御シグナリングを制御チャネルを介してユーザ機器に送信し、これに起因して、ユーザ機器がセミパーシステントなリソース割当てを無効にする。
【００７２】
本発明のさらなる実施形態によると、新規データインジケータの値と変調・符号化方式インデックスの所定の組合せは、新規データインジケータの値が０であり（セミパーシステントスケジューリングの有効化を示している）、変調・符号化方式インデックスが、トランスポートブロックサイズ情報を示していない。したがって、本発明のこの例示的な実施形態においては、通常ではリソース割当てに使用されない変調・符号化方式フィールドのインデックスを利用して、セミパーシステントなリソース割当てを有効化または再有効化する。
【００７３】
本発明の代替実施形態においては、新規データインジケータの値と変調・符号化方式インデックスの所定の組合せは、新規データインジケータの値が１であり（データパケットの再送信を示している）、変調・符号化方式インデックスが、そのデータの最初の送信のトランスポートブロックサイズとは異なるトランスポートブロックサイズをユーザ機器に示している。この例示的な実施形態においては、再送信のための異なるトランスポートブロックサイズは、セミパーシステントなリソース割当てのグラントの解放コマンドとみなされ、したがって、セミパーシステントなリソース割当てが無効にされる。
【００７４】
さらなる実施形態においては、制御シグナリングは、ＲＮＴＩによってマスクされたＣＲＣフィールドによって保護されており、このＲＮＴＩは、セミパーシステントなリソース割当てに関連するシグナリング手順における識別を目的としてユーザ機器に割り当てられている。この特徴により、制御シグナリングの情報が保護されるのみならず、本明細書において前述したように、制御シグナリングを所望のユーザ機器にアドレッシングすることと、制御シグナリングをセミパーシステントスケジューリングに関連付けることが可能になる。
【００７５】
本発明の別の実施形態によると、ｅＮｏｄｅ  Ｂからの制御シグナリングの少なくとも１つのフィールドが、その制御シグナリングをセミパーシステントなリソースの無効化指示として確認する所定の値、に設定されている。これによって誤アラーム率を下げることができ、これについては後からさらに詳しく説明する。
【００７６】
別の実施形態においては、本発明のコンセプトを利用して、上りリンクおよび下りリンクのセミパーシステントなリソース割当てを処理する。変調・符号化方式フィールドは、複数の変調・符号化方式インデックスのうちの１つを示している。さらに、トランスポートブロックサイズ情報を示さない、少なくとも３つのインデックスのサブセットが存在することを想定する。ユーザ機器は以下を無効にする。
【００７７】
−  変調・符号化方式フィールドに、サブセットのうちの第１の所定の変調・符号化方式インデックスが示されている場合、上りリンクのセミパーシステントなリソース割当て
−  変調・符号化方式フィールドに、サブセットのうちの第２の所定の変調・符号化方式インデックスが示されている場合、下りリンクのセミパーシステントなリソース割当て
−  変調・符号化方式フィールドに、サブセットのうちの第３の所定の変調・符号化方式インデックスが示されている場合、下りリンクのセミパーシステントなリソース割当てと、上りリンクのセミパーシステントなリソース割当て
【００７８】
本発明の別の実施形態においては、制御シグナリングは、下りリンク送信のスケジューリングに使用される、ｅＮｏｄｅ  Ｂからの下りリンク制御シグナリングである。この制御シグナリングは、上りリンクのセミパーシステントなリソース割当てを無効にするための第１の所定の変調・符号化方式インデックスを含んでいる。下りリンクのスケジューリングに関連する制御シグナリングを使用して、上りリンクのセミパーシステントなリソースの解放を示すことによって、下りリンクのスケジューリングに関連する制御シグナリングに適用されるのみであるメカニズムを、上りリンク用に利用することが可能である。
【００７９】
本発明のさらなる実施形態によると、制御シグナリングの受信は、ユーザ機器によって、ＡＣＫメッセージをｅＮｏｄｅ  Ｂに送信することによって肯定応答される。制御シグナリングの受信に対して肯定応答することが可能であり、これに対して従来技術では、トランスポートブロックに対する肯定応答を予測するのみであった。これによって、セミパーシステントなリソースの解放指示の信頼性が高まる。さらには、この肯定応答は、下りリンクのスケジューリングに関連する制御シグナリングに適用可能であり、したがって、上りリンクのセミパーシステントなリソース解放指示に対してと、下りリンクのスケジューリングに関連する制御シグナリングに対して肯定応答が可能となる。
【００８０】
本発明の別の実施形態による方法は、セミパーシステントなリソース割当ての周期性（periodicity）と、ｅＮｏｄｅ  Ｂからユーザ機器にシグナリングされる制御チャネルによって設定できる許可されるトランスポートブロックサイズの範囲とを示すＲＲＣメッセージを、ｅＮｏｄｅ  Ｂからユーザ機器にシグナリングするステップ、をさらに含んでいる。この実施形態のバリエーションにおいては、ＲＲＣメッセージは、セミパーシステントなリソース割当てに従ってのユーザ機器への下りリンク送信に使用されるＨＡＲＱプロセスに関するＨＡＲＱ情報、をさらに示している。
【００８１】
本発明のさらなる実施形態は、本発明の第２の態様による、ＬＴＥベースの移動通信システムにおいてユーザ機器のセミパーシステントなリソース割当てを無効にする代替方法、に関する。この方法においては、ユーザ機器は、セミパーシステントなリソース割当てを設定し、かつトランスポートブロックサイズを示しているＲＲＣメッセージを受信し、このトランスポートブロックサイズは、セミパーシステントなリソース割当てに関連する制御シグナリングにおいて示されたとき、それに起因して、ユーザ機器がセミパーシステントなリソース割当てを無効にする。さらに、ユーザ機器は、セミパーシステントなリソース割当てに関連する制御シグナリングをｅＮｏｄｅ  Ｂから受信する。この制御シグナリングは、セミパーシステントなリソース割当てのトランスポートブロックサイズを与える。ユーザ機器は、制御シグナリングにおいて示されるトランスポートブロックサイズが、ＲＲＣメッセージにおいて示されるトランスポートブロックサイズに一致する場合、セミパーシステントなリソース割当てを無効にする。
【００８２】
この実施形態のバリエーションにおいては、制御シグナリングは、ユーザ機器に割り当てられるリソースブロック数を示すリソース割当てフィールドの値と、変調・符号化方式を示す変調・符号化方式インデックスと、を備えており、ユーザ機器は、制御シグナリングによって与えられるトランスポートブロックサイズを、リソース割当てフィールドの値および変調・符号化方式インデックスに基づいてさらに求める。
【００８３】
本発明の別の実施形態は、ＬＴＥベースの移動通信システムにおいてユーザ機器のセミパーシステントなリソース割当てを無効にする上述した代替方法による、ｅＮｏｄｅ  Ｂの動作、に関する。ｅＮｏｄｅ  Ｂは、セミパーシステントなリソース割当てを設定するためのＲＲＣメッセージをユーザ機器に送信する。このＲＲＣメッセージはトランスポートブロックサイズを示しており、このトランスポートブロックサイズが、セミパーシステントなリソース割当てに関連する制御シグナリングによって与えられたとき、それに起因して、ユーザ機器がセミパーシステントなリソース割当てを無効にする。さらには、ｅＮｏｄｅ  Ｂは、セミパーシステントなリソース割当てに関連しており、かつこのＲＲＣメッセージによって示されるトランスポートブロックサイズを与える制御シグナリング、を生成し、この制御シグナリングをユーザ機器に送信し、これに起因して、ユーザ機器が、セミパーシステントなリソース割当てを無効にする。
【００８４】
本発明のさらなる実施形態においては、ＲＲＣメッセージは、セミパーシステントなリソース割当ての周期性と、セミパーシステントスケジューリングの有効化に使用することのできる許可されるトランスポートブロックサイズの範囲と、を示している。バリエーションにおいては、ＲＲＣメッセージは、セミパーシステントなリソース割当てに従ってのユーザ機器への下りリンク送信に使用されるＨＡＲＱプロセスに関するＨＡＲＱ情報を、さらに示すことができる。
【００８５】
本発明の別の実施形態によると、上りリンクのセミパーシステントスケジューリングにおいて、変調・符号化方式フィールドは、複数の所定のインデックスのうちの１つを示している。これにより、所定のインデックスの空ではないサブセットを使用して、上りリンクデータ送信の変調方式と、トランスポートブロックサイズと、冗長バージョンとを一緒に符号化し、その一方で、残りのインデックスは、上りリンクデータ送信の冗長バージョンのみを符号化するために使用される。
【００８６】
あるいは、下りリンクのセミパーシステントスケジューリングにおいて、変調・符号化方式フィールドは、複数の所定のインデックスのうちの１つを示しており、所定のインデックスの空ではないサブセットを使用して、ユーザ機器によって受信される下りリンク送信の変調方式とトランスポートブロックサイズを一緒に符号化し、その一方で、残りのインデックスが、下りリンク送信の変調方式のみを符号化するために使用される。
【００８７】
本発明の例示的な実施形態においては、制御チャネルがＰＤＣＣＨである、もしくは、制御シグナリングが、ユーザ機器へのリソース割当てに含まれている、またはその両方である。
【００８８】
さらには、本発明は、本文書に記載した本発明のさまざまな実施形態および態様による、セミパーシステントなリソース割当てを無効にする方法、を実行する装置およびコンピュータ読み取り可能な媒体にも関する。
【００８９】
これに関連して、本発明の別の実施形態は、ＬＴＥベースの移動通信システムにおいて使用するためのユーザ機器であって、新規データインジケータフィールドと変調・符号化方式フィールドとを含んでいる制御シグナリングを、制御チャネルを介してｅＮｏｄｅ  Ｂから受信する受信器と、制御シグナリングの新規データインジケータフィールドおよび変調・符号化方式フィールドが、新規データインジケータの値と変調・符号化方式インデックスの所定の組合せを伝えている場合に、セミパーシステントなリソース割当てを無効にする処理ユニットと、を備えているユーザ機器、を提供する。
【００９０】
さらなる実施形態による本発明は、ＬＴＥベースの移動通信システムにおいて使用するためのｅＮｏｄｅ  Ｂであって、新規データインジケータフィールドおよび変調・符号化方式フィールドを備えている制御シグナリングをユーザ機器のために生成するスケジューラであって、新規データインジケータフィールドおよび変調・符号化方式フィールドが、新規データインジケータの値と変調・符号化方式インデックスの所定の組合せであって、それに起因して、ユーザ機器がセミパーシステントなリソース割当てを無効にする、所定の組合せ、を含んでいる、スケジューラと、制御シグナリングを制御チャネルを介してユーザ機器に送信する送信器であって、この制御シグナリングによって、ユーザ機器がセミパーシステントなリソース割当てを無効にする、送信器と、を備えているｅＮｏｄｅ  Ｂ、に関する。
【００９１】
同様に、別の実施形態による本発明は、命令を格納しているコンピュータ読み取り可能な媒体であって、命令がユーザ機器のプロセッサによって実行されたとき、それに起因して、ユーザ機器が、ＬＴＥベースの移動通信システムにおいてセミパーシステントなリソース割当てを無効にする、コンピュータ読み取り可能な媒体に関する。これは、以下のステップ、すなわち、新規データインジケータフィールドおよび変調・符号化方式フィールドを含んでいる制御シグナリングを、制御チャネルを介してｅＮｏｄｅ  Ｂから受信するステップと、制御シグナリングの新規データインジケータフィールドおよび変調・符号化方式フィールドが、新規データインジケータの値と変調・符号化方式インデックスの所定の組合せを伝えている場合に、セミパーシステントなリソース割当てを無効にするステップと、による。
【００９２】
本発明の別の実施形態は、命令を格納しているコンピュータ読み取り可能な媒体であって、命令がｅＮｏｄｅ  Ｂのプロセッサによって実行されたとき、それに起因して、ｅＮｏｄｅ  Ｂが、ユーザ機器のセミパーシステントなリソース割当てを無効にする、コンピュータ読み取り可能な媒体、を提供する。これは、以下のステップ、すなわち、新規データインジケータフィールドおよび変調・符号化方式フィールドを備えている制御シグナリングをユーザ機器のために生成するステップであって、新規データインジケータフィールドおよび変調・符号化方式フィールドが、新規データインジケータの値と変調・符号化方式インデックスの所定の組合せであって、それに起因して、ユーザ機器がセミパーシステントなリソース割当てを無効にする、所定の組合せ、を含んでいる、ステップと、制御シグナリングを制御チャネルを介してユーザ機器に送信するステップであって、この制御シグナリングによって、ユーザ機器がセミパーシステントなリソース割当てを無効にする、ステップと、による。
【００９３】
本発明のさらなる実施形態は、本発明の第２の態様と、ＬＴＥベースの移動通信システムにおいて使用するためのユーザ機器に関し、このユーザ機器は、セミパーシステントなリソース割当てを設定し、かつトランスポートブロックサイズを示しているＲＲＣメッセージ、を受信する受信器であって、トランスポートブロックサイズが、セミパーシステントなリソース割当てに関連する制御シグナリングにおいて示されたとき、それに起因して、ユーザ機器がセミパーシステントなリソース割当てを無効にする、受信器、を備えている。ユーザ機器のこの受信器は、セミパーシステントなリソース割当てに関連する制御シグナリングをｅＮｏｄｅ  Ｂから受信するようにされており、この制御シグナリングは、セミパーシステントなリソース割当てのトランスポートブロックサイズを与える。さらに、ユーザ機器は、制御シグナリングにおいて示されるトランスポートブロックサイズが、ＲＲＣメッセージにおいて示されるトランスポートブロックサイズに一致する場合、セミパーシステントなリソース割当てを無効にする処理ユニット、を備えている。
【００９４】
バリエーションにおいては、制御シグナリングは、ユーザ機器に割り当てられるリソースブロック数を示すリソース割当てフィールドの値と、変調・符号化方式を示す変調・符号化方式インデックスと、を備えており、ユーザ機器の処理ユニットは、制御シグナリングによって与えられるトランスポートブロックサイズを、リソース割当てフィールドの値および変調・符号化方式インデックスに基づいて求めるように、さらにされている。
【００９５】
本発明の別の実施形態は、ＬＴＥベースの移動通信システムにおいて使用するためのｅＮｏｄｅ  Ｂであって、セミパーシステントなリソース割当てを設定するためのＲＲＣメッセージをユーザ機器に送信する送信器であって、ＲＲＣメッセージがトランスポートブロックサイズを示しており、トランスポートブロックサイズが、セミパーシステントなリソース割当てに関連する制御シグナリングによって与えられたとき、それに起因して、ユーザ機器がセミパーシステントなリソース割当てを無効にする、送信器と、セミパーシステントなリソース割当てに関連する制御シグナリングを生成するスケジューラであって、制御シグナリングが、ＲＲＣメッセージによって示されるトランスポートブロックサイズを与える、スケジューラと、制御シグナリングをユーザ機器に送信する送信器であって、この制御シグナリングによって、ユーザ機器がセミパーシステントなリソース割当てを無効にする、送信器と、を備えているｅＮｏｄｅ  Ｂ、に関する。
【００９６】
さらなる実施形態においては、本発明は、命令を格納しているコンピュータ読み取り可能な媒体であって、命令がユーザ機器のプロセッサによって実行されたとき、それに起因して、ユーザ機器が、ＬＴＥベースの移動通信システムにおいてセミパーシステントなリソース割当てを無効にする、コンピュータ読み取り可能な媒体、を提供する。これは、以下のステップ、すなわち、セミパーシステントなリソース割当てを設定し、かつトランスポートブロックサイズを示しているＲＲＣメッセージを受信するステップであって、トランスポートブロックサイズが、セミパーシステントなリソース割当てに関連する制御シグナリングにおいて示されたとき、それに起因して、ユーザ機器がセミパーシステントなリソース割当てを無効にする、ステップと、セミパーシステントなリソース割当てに関連する制御シグナリングをｅＮｏｄｅ  Ｂから受信するステップであって、制御シグナリングが、セミパーシステントなリソース割当てのトランスポートブロックサイズを与える、ステップと、制御シグナリングにおいて示されるトランスポートブロックサイズが、ＲＲＣメッセージにおいて示されるトランスポートブロックサイズに一致する場合、セミパーシステントなリソース割当てを無効にするステップと、による。
【００９７】
この実施形態のバリエーションにおいては、制御シグナリングは、ユーザ機器に割り当てられるリソースブロック数を示すリソース割当てフィールドの値と、変調・符号化方式を示す変調・符号化方式インデックスと、を備えており、コンピュータ読み取り可能な媒体は、命令をさらに格納しており、命令がユーザ機器のプロセッサによって実行されたとき、それに起因して、ユーザ機器が、制御シグナリングによって与えられるトランスポートブロックサイズを、リソース割当てフィールドの値および変調・符号化方式インデックスに基づいて求める。
【００９８】
別の実施形態は、命令を格納しているコンピュータ読み取り可能な媒体であって、命令がｅＮｏｄｅ  Ｂのプロセッサによって実行されたとき、それに起因して、ｅＮｏｄｅ  Ｂが、ユーザ機器のセミパーシステントなリソース割当てを無効にする、コンピュータ読み取り可能な媒体、に関する。これは、以下のステップ、すなわち、セミパーシステントなリソース割当てを設定するためのＲＲＣメッセージをユーザ機器に送信するステップであって、ＲＲＣメッセージがトランスポートブロックサイズを示しており、トランスポートブロックサイズが、セミパーシステントなリソース割当てに関連する制御シグナリングによって与えられたとき、それに起因して、ユーザ機器がセミパーシステントなリソース割当てを無効にする、ステップと、セミパーシステントなリソース割当てに関連する制御シグナリングを生成するステップであって、制御シグナリングが、ＲＲＣメッセージによって示されるトランスポートブロックサイズを与える、ステップと、制御シグナリングをユーザ機器に送信するステップであって、この制御シグナリングによって、ユーザ機器がセミパーシステントなリソース割当てを無効にする、ステップと、による。
【００９９】
以下では、本発明について、添付の図面を参照しながらさらに詳しく説明する。図面において、類似または対応する細部には同じ参照数字を付してある。
【図面の簡単な説明】
【０１００】
【図１】３ＧＰＰ  ＬＴＥシステムの例示的な高レベルアーキテクチャを示している。
【図２】図１の３ＧＰＰ  ＬＴＥシステムの高レベルアーキテクチャのＥ−ＵＴＲＡＮの例示的な概要図を示している。
【図３】局在型送信モードにおけるＯＦＤＭチャネルの無線リソースの例示的な割当てを示している。
【図４】分散型送信モードにおけるＯＦＤＭチャネルの無線リソースの例示的な割当てを示している。
【図５】上りリンクリソースを移動端末に割り当てるためのリソース割当てメッセージ（ＰＤＣＣＨ）の例示的なフォーマットを示している。
【図６】本発明の例示的な実施形態による、ユーザ機器（ＵＥ）とｅＮｏｄｅ  Ｂとの間で上りリンクのセミパーシステントなリソース割当てを有効にするための例示的なシグナリング手順を示している。
【図７】本発明の例示的な実施形態による、ユーザ機器（ＵＥ）とｅＮｏｄｅ  Ｂとの間で上りリンクのセミパーシステントなリソース割当てを無効にするための、別の例示的なシグナリング手順を示している。
【図８】本発明の例示的な実施形態による、ユーザ機器（ＵＥ）とｅＮｏｄｅ  Ｂとの間で上りリンクのセミパーシステントなリソース割当てを無効にするための、別の例示的なシグナリング手順を示している。
【図９】セミパーシステントスケジューリングの無効化を達成するための、本発明の例示的な実施形態による、ユーザ機器の物理層エンティティおよびＭＡＣ層エンティティの基本的な動作の流れ図を示している。
【図１０】セミパーシステントスケジューリングの無効化を達成するための、本発明の例示的な実施形態による、ユーザ機器の物理層エンティティおよびＭＡＣ層エンティティの基本的な動作の流れ図を示している。
【図１１】セミパーシステントスケジューリングの無効化を達成するための、本発明の例示的な実施形態による、ユーザ機器における物理層エンティティ、ＭＡＣ層エンティティ、およびＲＲＣエンティティの基本的な動作の流れ図を示している。
【図１２】本発明の例示的な実施形態による、セミパーシステントスケジューリングを設定するための例示的なＲＲＣメッセージのフォーマットを示している。
【図１３】本発明の例示的な実施形態による、セミパーシステントスケジューリングを設定するための例示的なＲＲＣメッセージのフォーマットを示している。
【発明を実施するための形態】
【０１０１】
以下では、本発明のさまざまな実施形態について説明する。実施形態のほとんどは、上の背景技術で説明したＬＴＥに従った（Ｅ−）通信システムに関連して概説してあるが、これは例示を目的としているにすぎない。
【０１０２】
本発明の一態様は、セミパーシステントなリソース割当てに関連する（既存の）物理制御チャネルシグナリングを使用して、ユーザ機器へのセミパーシステントなリソース割当てを無効にする（言い換えれば、セミパーシステントなリソース割当てのグラントを解放する）ことであり、これは、セミパーシステントなリソース割当ての無効化コマンドとして、制御チャネルシグナリング値の特殊な組合せを定義することによる。より具体的には、物理制御チャネルシグナリングは、セミパーシステントなリソース割当ての無線リソースをユーザ機器に割り当てる、または再割り当てするために通常使用される、セミパーシステントなリソース割当てに関連するリソース割当てとすることができる。制御シグナリングすなわちリソース割り当て情報は、新規データインジケータフィールドおよび変調・符号化方式フィールドを含んでいるものと想定する。新規データインジケータの値と、変調・符号化方式フィールドの中でシグナリングされる変調・符号化方式インデックスとの特殊な組合せが、セミパーシステントなリソース割当ての無効化（言い換えれば、セミパーシステントなリソース割当ての、前のリソース割当て（グラント）を解放すること）を示すものとして定義される。
【０１０３】
本発明の一実施形態によると、ＬＴＥベースの移動通信システムにおいて、ｅＮｏｄｅ  Ｂが、ユーザ機器のための特殊な制御シグナリング情報（例：リソース割当て）を生成することによって、セミパーシステントなリソース割当てが無効にされ、この特殊な制御シグナリング情報は、新規データインジケータの値と変調・符号化方式インデックスの所定の組合せであって、それに起因してユーザ機器がセミパーシステントなリソース割当てを無効にする組合せ、を含んでいる。ｅＮｏｄｅ  Ｂは、この制御シグナリング情報をユーザ機器にシグナリングし、ユーザ機器は、この制御シグナリング情報を受信して処理する。ユーザ機器は、制御シグナリング情報が、新規データインジケータの値と変調・符号化方式インデックスの所定の組合せを含んでいることを検出すると、セミパーシステントなリソース割当てを無効にする。
【０１０４】
セミパーシステントなリソース割当てのグラントを解放するための、新規データインジケータの値と変調・符号化方式インデックスの所定の（１つまたは複数の）組合せ（リソース解放コマンドと称することもできる）を定義する方法として、複数の可能な方法が存在する。一例として、リソース割当てにおける変調・符号化方式インデックスがトランスポートブロックサイズを示しておらず、その一方で、新規データインジケータが、セミパーシステントスケジューリングの有効化を示している（すなわち０に設定されている）。トランスポートブロックサイズの情報がなければ最初のデータ送信を正しく送る／受信することができないため、トランスポートブロックサイズを示していない変調・符号化方式インデックスは、セミパーシステントスケジューリングに関連するリソース割当てまたは再割当てにおいて一般には使用されることはなく、したがって、リソース解放コマンドとして使用することができる。
【０１０５】
セミパーシステントなリソース割当てに対するリソース解放コマンドを伝えるための別の可能な方法は、セミパーシステントにスケジューリングされたデータパケットを再送信するためのトランスポートブロックサイズの変更を示すことであり、この方法は、特に、ＨＡＲＱが軟合成と組み合わせて使用されるケースに適用可能である。データパケットの複数の異なる送信を軟合成するためには、そのデータパケットの全送信を通じて（すなわち最初の送信およびすべての再送信において）トランスポートブロックサイズが一定である必要がある。再送信に対してトランスポートブロックサイズの変更がシグナリングされる（すなわち、送信用に割り当てられるリソースブロック数で表されるリソース割当てと変調・符号化方式インデックスの結果として、別のトランスポートブロックサイズになる）場合、ユーザ機器は、１である新規データインジケータの値と、変更されるトランスポートブロックサイズとの組合せを、セミパーシステントなリソース割当ての無効化を指示するものと解釈することができる。
【０１０６】
しかしながら、上述した２つの代替実施形態は、１つの欠点がある。すなわち、このリソース解放コマンドは、ユーザ機器にリソースを割り当てないため、セミパーシステントなリソース割当てのグラントを解放する目的にしか使用できない。このような潜在的な欠点を克服する、本発明の代替解決方法および態様として、セミパーシステントなリソース割当てを設定するためのＲＲＣシグナリング手順を適合させる。この代替解決方法においては、ＲＲＣシグナリングは、特殊なトランスポートブロックサイズをユーザ機器に示し、このトランスポートブロックサイズは、セミパーシステントなリソース割当てのためのリソース割当てにおいてそのサイズが示されたとき、セミパーシステントなリソース割当てを無効にするようにユーザ機器に命令する。
【０１０７】
したがって、この特別に指定されたトランスポートブロックサイズを示しているリソース割当てをシグナリングするとき（すなわち、リソース割当てのリソース割当てフィールドに従って送信用に割り当てられるリソースブロック数と変調・符号化方式インデックスの結果として、その特別に指定されたトランスポートブロックサイズになるとき）、ユーザ機器は、依然として送信／受信用にそのリソース割当てを使用することができ、さらに、以降の送信／受信についてセミパーシステントなリソース割当てを無効にする。しかしながら、新規データインジケータの値と変調・符号化方式インデックスの特殊な組合せを使用する方法と比較したとき、この解決方法の潜在的な欠点として、ＲＲＣ制御シグナリングの仕様の変更が要求される。
【０１０８】
しかしながら、上述したいずれの解決方法も、リソース割当て（グラント）の処理に関してユーザ機器の動作に影響することがなく、したがって、３ＧＰＰによって現在定義されている物理層とＭＡＣ層との間のインタフェースにも影響しない。
【０１０９】
次に、本発明のさまざまな態様について、背景技術に概説したセミパーシステントスケジューリングを使用するＬＴＥベースの移動通信システムを参照しながら、以下にさらに詳しく説明する。図６は、本発明の例示的な実施形態による、ユーザ機器（ＵＥ）とｅＮｏｄｅ  Ｂとの間で上りリンクのセミパーシステントなリソース割当てを有効にするための例示的なシグナリング手順を示している。上述したように、セミパーシステントスケジューリングは、ユーザ機器とｅＮｏｄｅ  Ｂとの間のＲＲＣシグナリング（図６には示していない）を使用して設定される。より具体的には、ＲＲＣシグナリングを介してのセミパーシステントなリソース割当ての設定によって、セミパーシステントなリソース割当ての周期性（図６におけるＳＰＳ間隔）、すなわち、ユーザ機器が下り共有物理チャネル（ＰＤＳＣＨ）上でデータを受信する、または上り共有物理チャネル（ＰＵＳＣＨ）上でデータを送信する周期的なタイミングが設定される。一般的には、図示した周期的なタイミングにおいて発生するユーザ機器への送信およびユーザ機器からの送信は、データの最初の送信である。セミパーシステントにスケジューリングされた最初の送信に対する再送信は、ＰＤＣＣＨによって示される（すなわち明示的にスケジューリングされる）、または、上りリンクの場合、非適応型再送信を要求する目的でＮＡＣＫによってトリガーすることもできる。
【０１１０】
さらには、ＳＰＳ再送信をスケジューリングするＰＤＣＣＨのＣＲＣもＳＰＳ  Ｃ−ＲＮＴＩによってマスクされることに留意されたい。セミパーシステントスケジューリングの（再）有効化と、ＳＰＳ再送信との区別は、ＮＤＩに基づいて行われる。例えば、０に設定されているＮＤＩビット値は、セミパーシステントな割当ての有効化を示すのに対して、１に設定されているＮＤＩビット値は、再送信を示す。
【０１１１】
セミパーシステントスケジューリングの実際の有効化は、リソース割当てを含んでおりＮＤＩ値が０に設定されているＰＤＣＣＨ（ＳＰＳ  ＰＤＣＣＨ）をユーザ機器に送ることによって達成される。セミパーシステントスケジューリングに関連するリソース割当てにおいてＮＤＩビット値が０に設定されているとき、ＳＰＳ  ＰＤＣＣＨが有効なトランスポートブロックサイズをシグナリングしているならば、セミパーシステントスケジューリングが有効になる（または再有効化される、すなわち、前の有効化のグラントが上書きされる）。リソース割当ては、上りリンクリソースまたは下りリンクリソースのセミパーシステントスケジューリングに関連する制御シグナリング手順用にユーザ機器に固有に割り当てられるＲＮＴＩ（例えば、ユーザ機器のＳＰＳ  Ｃ−ＲＮＴＩ）によってマスクされたＣＲＣフィールドによって、保護される。ＰＤＣＣＨのＣＲＣフィールド（すなわちＰＤＣＣＨの内容）がユーザ機器のＳＰＳ  Ｃ−ＲＮＴＩによってマスクされている場合、そのことは、ＰＤＣＣＨの制御情報がそのユーザ機器のセミパーシステントスケジューリングのための情報であることを意味する。
【０１１２】
リソース割当てを含んでいるＰＤＣＣＨは、物理チャネルリソースをユーザ機器に許可し、ユーザ機器は、セミパーシステントベースでスケジューリングされる、ＰＵＳＣＨ／ＰＤＳＣＨを介してのデータの送信／受信用に、周期的に使用する。したがって、ユーザ機器は、ＰＤＣＣＨ上のリソース割当ての内容を保管（および更新）する。上述したように、ｅＮｏｄｅ  Ｂは、セミパーシステントにスケジューリングされたデータの最初の送信の再送信のための動的なグラントを送る、あるいは送らない。ＳＰＳ再送信のための動的なグラントが送られる（６０１）場合、ユーザ機器はこのグラントに従い、そうではなく、動的なグラントが送られない（６０２）場合、ユーザ機器は、パケットの前の送信に使用した、すでに許可されている物理リソースを使用して再送信する（すなわち非適応型再送信）。
【０１１３】
図７は、本発明の例示的な実施形態による、ユーザ機器とｅＮｏｄｅ  Ｂとの間で上りリンクのセミパーシステントなリソース割当てを無効にするための例示的なシグナリング手順を示している。いま、例示を目的として、上りリンクのセミパーシステントなリソース割当てが、前に（例えば図６に示したように）設定されているものと想定する。本発明のこの例示的な実施形態においては、ｅＮｏｄｅ  Ｂが、ユーザ機器のセミパーシステントなリソース割当てのためのＰＤＣＣＨを送るものと想定し、この場合、ＮＤＩビット値と変調・符号化方式インデックスの特殊な組合せ（図５を参照）を含んでいるＰＤＣＣＨである（ＳＰＳ  ＵＬ  ＰＤＣＣＨ（無効化））。この例示的な実施形態においては、上りリンクのＳＰＳリソースの明示的な解放をシグナリングする目的で、ｅＮｏｄｅ  Ｂは、セミパーシステントスケジューリングの（再）有効化のためのＰＤＣＣＨとして、トランスポートブロックサイズ情報を提供しないＰＤＣＣＨ（ＳＰＳ  ＵＬ  ＰＤＣＣＨ（無効化））を送る。ユーザ機器は、このＰＤＣＣＨを、セミパーシステントスケジューリングのリソースを解放するコマンドとして、すなわち、（例えば、次の有効化が受信されるまで）セミパーシステントスケジューリングを無効にするコマンドとして解釈する。さらには、セミパーシステントなリソース割当てを無効にするためのＰＤＣＣＨは、任意のタイミングで、例えば、セミパーシステントスケジューリングを使用して送信されるＶｏＩＰ通信において音声が存在しない期間をｅＮｏｄｅ  Ｂが検出することに対応して、送ることができることに留意されたい。
【０１１４】
本発明のより具体的な例示的な実施形態においては、変調・符号化方式フィールド（ＭＣＳインデックス）が、非特許文献５の第８．６１節（表８．６．１−１を参照）におけるように定義されているものと想定し、次の表１はこの定義を示している。
【０１１５】
【表１】
0005396476.tif 000002
【０１１６】
上りリンクの場合、変調・符号化方式インデックス（ＩＭＣＳ）として２９〜３１を示しているＰＤＣＣＨは、トランスポートブロックサイズ情報（ＴＢＳインデックス）を示しておらず、一般にはセミパーシステントスケジューリングの（再）有効化に使用されない。この例示的な実施形態によると、ｅＮｏｄｅ  Ｂは、明示的なＳＰＳリソース解放コマンドをシグナリングする目的で、ＣＲＣがＳＰＳ  Ｃ−ＲＮＴＩによってマスクされている上りリンクリソース割当て（ＳＰＳ  ＵＬ  ＰＤＣＣＨ）であって、セミパーシステントスケジューリングの有効化を示すためＮＤＩビット値が０に設定されており、変調・符号化方式インデックスが２９、３０、または３１であるリソース割当てをシグナリングする。この実施形態によると、ユーザ機器は、ＳＰＳ  Ｃ−ＲＮＴＩによってアドレッシングされておりＮＤＩビットが０に設定されている上りリンクＰＤＣＣＨを受信した場合、変調・符号化方式インデックス２９〜３１のうちの１つ（または複数）を、上りリンクのセミパーシステントなリソース割当てを無効にするように（すなわち、現在有効なＳＰＳグラントを解放するように）解釈する。以下はこれを例示的に示しており、表１の一部分を修正したものである。
【０１１７】
【表２】
0005396476.tif 000003
【０１１８】
それ以前にセミパーシステントスケジューリングが有効にされていない場合、ユーザ機器は、受信したＳＰＳ  ＵＬ  ＰＤＣＣＨを無視する。
【０１１９】
ユーザ機器は、下りリンクのセミパーシステントなリソース割当てにおけるＳＰＳ無効化と、上りリンクのセミパーシステントなリソース割当てにおけるＳＰＳ無効化とを、ＰＤＣＣＨのＤＣＩフォーマットに基づいて区別することができる。例えば、非特許文献５に指定されているＤＣＩフォーマット０が、上りリンクのＳＰＳリソース解放をシグナリングする目的に使用されるのに対して、非特許文献５に指定されているＤＣＩフォーマット１または１Ａは、下りリンクのＳＰＳリソース解放に使用される。
【０１２０】
これに関連して、下りリンク送信の変調・符号化方式フィールドの定義は、上の表１に示した上りリンクの場合の定義とはわずかに異なっていることにも留意されたい。下りリンク送信の場合、変調・符号化方式フィールドのインデックスは、非特許文献５の第７．１．７．１節に示されているように定義され（表７．１．７．１−１を参照）、以下はこの定義を示している。
【０１２１】
【表３】
0005396476.tif 000004
【０１２２】
ＵＬ  ＰＤＣＣＨの例と同様に、ユーザ機器は、ＳＰＳ  Ｃ−ＲＮＴＩによってアドレッシングされておりＮＤＩビット値が０に設定されているＤＬ  ＰＤＣＣＨを受信した場合、変調・符号化方式インデックス２９〜３１のうちの１つ（または複数）を、下りリンクのセミパーシステントなリソース割当ての無効化コマンドとして（すなわち、現在有効なＳＰＳグラントを解放するように）解釈する。したがって、さらなる例示的な実施形態においては、上の表３の定義は以下のように再定義される。
【０１２３】
【表４】
0005396476.tif 000005
【０１２４】
本発明のさらなる実施形態においては、上の表１および表３に示した３つのＭＣＳインデックス２９、３０、３１を利用することにより、セミパーシステントなリソース割当ての上りリンクのリソース、下りリンクのリソース、上りリンクおよび下りリンクのリソースを解放すべきであることを識別する。したがって、上りリンクおよび下りリンクのＳＰＳ  ＰＤＣＣＨ（ＮＤＩビットは０に設定されている）における変調・符号化方式インデックス２９〜３１の意味の１つの可能な定義として、以下のように定義することができる。
【０１２５】
【表５】
0005396476.tif 000006
【０１２６】
この例示的な実施形態の１つの利点として、上の表１〜表４に関連して説明した実施形態（ユーザ機器は、上りリンクと下りリンクのＳＰＳの無効化をＰＤＣＣＨのＤＣＩフォーマットに基づいて区別する）と比較すると、下りリンクおよび上りリンクのＳＰＳの無効化をシグナリングする目的に、ＰＤＣＣＨの１つのＤＣＩフォーマットを使用するのみでよい。
【０１２７】
例えば、ＳＰＳ解放を指示するために最小のＤＣＩフォーマット（すなわち、最小のＰＤＣＣＨペイロードサイズ）を使用することができ、これにより無線効率が向上する。あるいは、誤解放の確率を低減する目的で、「仮想ＣＲＣ」ビットが最大限に大きくなるＤＣＩフォーマットを使用することができる。
【０１２８】
一般的には、ＳＰＳリソースの解放を示すＰＤＣＣＨのＣＲＣフィールドは、アドレッシングされるユーザ機器のＳＰＳ  Ｃ−ＲＮＴＩによってマスクされており、ＰＤＣＣＨのＮＤＩビットは０に設定されているため、ＳＰＳ解放を示すＰＤＣＣＨは、特殊なＳＰＳ有効化ＰＤＣＣＨとみなすことができる。すでに説明したように、ＳＰＳの有効化は、ＵＥのＳＰＳ  Ｃ−ＲＮＴＩにアドレッシングされており、かつＮＤＩビットが０に設定されたＰＤＣＣＨによって示される。「ＳＰＳ解放」ＰＤＣＣＨは、基本的には、ＭＣＳフィールドが何らかの予約された所定の（１つまたは複数の）ＭＣＳインデックス（例：ＭＣＳインデックス２９〜３１）に設定された「ＳＰＳ有効化」ＰＤＣＣＨであると理解することができる。言い換えれば、ＳＰＳ解放の指示は、トランスポートブロックサイズ情報を提供しないＳＰＳ有効化指示とみなすことができる。
【０１２９】
したがって、本発明の実施形態は、ＳＰＳの誤有効化率を低減することを目的とする、ＳＰＳの有効化に関連して３ＧＰＰ内で現在検討されているいくつかの手法と組み合わせることができ（上の背景技術を参照）、これは有利である。誤アラーム率を許容レベルまで下げるための一手段は、ＰＤＣＣＨフィールドのうちセミパーシステントスケジューリングには有用ではないフィールドのいくつかに、特定の既知の値／インデックスを設定することによって、ＣＲＣの長さを仮想的に拡張することである。
【０１３０】
一般的には、ＳＰＳを有効にするためのＰＤＣＣＨに適用できる仮想的なＣＲＣ拡張は、ＳＰＳリソースを解放するためのＰＤＣＣＨにも適用可能であり、ＵＥがＰＤＣＣＨを自身を宛先としているものと誤って認識してしまう誤アラーム率を下げることができる。詳細には、ＰＤＣＣＨフィールドのうちセミパーシステントスケジューリングの有効化および解放に有用ではないフィールドのいくつかに、特定の既知の値を設定することによって、ＳＰＳリソースの解放を示すＰＤＣＣＨの１６ビットのＣＲＣフィールドの長さを仮想的に拡張することができる。例えば、下りリンクのＳＰＳリソースの解放を示すＵＬ  ＰＤＣＣＨの場合、ＴＰＣフィールドを「００」に設定する、もしくは、巡回シフトＤＭ  ＲＳフィールドを「０００」に設定する、またはこの両方に設定することができ、下りリンクＳＰＳリソースの解放を示すＤＬ  ＰＤＣＣＨの場合、ＨＡＲＱプロセスＩＤフィールドを「０００」に設定し、かつＲＶフィールドを「００」に設定することができる。同様に、ＳＰＳリソースの解放を示すＰＤＣＣＨの中のリソース割当てフィールドを、特定の所定の値に設定することができる。
【０１３１】
ＵＥは、セミパーシステントＣ−ＲＮＴＩによってマスクされたＣＲＣを有するＰＤＣＣＨを受信し、新規データインジケータフィールドが０に設定されているとき、仮想的なＣＲＣ拡張に使用されるこれらのフィールドが正しい値に設定されていることをチェックすることによって、有効なＳＰＳ解放指示として確認することができる。ＵＥは、ＰＤＣＣＨ上で受信した下りリンクの制御情報が、有効なセミパーシステント解放指示として確認された場合にのみ、設定されているＳＰＳリソースを解放する。これによって、ＳＰＳ解放を示しているＰＤＣＣＨを誤って受信してしまう確率を、ＳＰＳの有効化の場合と同じように下げることができる。したがって、セミパーシステントスケジューリングの誤解放の平均時間を大幅に増大させることができる。
【０１３２】
なお、用語ＤＬ  ＰＤＣＣＨは、本文書においては、ＰＤＳＣＨのスケジューリングに使用されるＤＣＩフォーマット（例えば、ＤＣＩフォーマット１、１Ａ、または２）を有するＰＤＣＣＨを指す目的で使用している。同様に、用語ＵＬ  ＰＤＣＣＨは、ＰＵＳＣＨをスケジューリングするために使用されるＤＣＩフォーマット（例えば、ＤＣＩフォーマット０）を有するＰＤＣＣＨとして理解されたい。
【０１３３】
次に、本発明の複数の異なる実施形態による、ＳＰＳ  ＰＤＣＣＨを受信したときの物理層およびＭＡＣ層の動作について、さらに詳しく説明する。以下の説明では、上りリンクのＳＰＳリソースの解放と下りリンクのＳＰＳリソースの解放は、必要な場合にのみ区別されていることに留意されたい。一般的に、以下の説明は、特に明記していない限り、ＳＰＳ  ＵＬ  ＰＤＣＣＨの処理とＳＰＳ  ＤＬ  ＰＤＣＣＨの処理に等しく適用される。さらには、図９および図１０の以下の説明では、例示のみを目的として、ＰＤＣＣＨは図５に示したリソース割当てを備えているものと想定する。
【０１３４】
図９は、ユーザ機器の物理層およびＭＡＣ層における、受信したＰＤＣＣＨの例示的な処理を示している。なお、図９の流れ図は、本発明のコンセプトに関連する最も重要なステップを示しているのみであることに留意されたい。当然ながら、後からさらに詳しく説明するように、ユーザ機器においてＰＤＣＣＨを適切に処理するのに要求されるさらなるステップを実行することができる。
【０１３５】
ユーザ機器は、最初に、ＰＤＣＣＨを受信し（９０１）、そのＰＤＣＣＨが、ユーザ機器のＳＰＳ  Ｃ−ＲＮＴＩによってマスクされているＣＲＣフィールドを備えているか否かをチェックする（９０２）。そうでない場合、すなわち、ＰＤＣＣＨのＣＲＣがＣ−ＲＮＴＩによってマスクされている場合、ユーザ機器は、そのＰＤＣＣＨを、スケジューリングされている送信／受信のための動的なグラントとして処理する（９０３）。ＰＤＣＣＨが、自身のＳＰＳ  Ｃ−ＲＮＴＩを使用してユーザ機器にアドレッシングされている場合、ユーザ機器の物理層エンティティは、ＮＤＩビットの値をチェックする（９０４）。ＮＤＩビットの値が１に等しい場合、そのＳＰＳ  ＰＤＣＣＨは、セミパーシステントにスケジューリングされたデータの再送信を示しており、そのように処理する（９０５）。
【０１３６】
ＮＤＩビットが０に等しい、すなわち、ＰＤＣＣＨがＳＰＳの（再）有効化である場合、ユーザ機器の物理層エンティティは、変調・符号化方式フィールド（ＭＣＳフィールド）など別のＰＤＣＣＨフィールドをさらに処理する。
【０１３７】
この例示的な実施形態においては、２９またはそれより大きい変調・符号化方式インデックスがシグナリングされ、ＳＰＳ  ＰＤＣＣＨが上りリンクのセミパーシステントスケジューリングに関するものであるとき、冗長バージョン（ＲＶ）は、変調・符号化方式インデックス２９（上の表１および表２を参照）の場合には例えば１に設定され、トランスポートブロックサイズは「未定義」に設定される（すなわち、トランスポートブロックサイズが指示されない）。
【０１３８】
したがって、ユーザ機器の物理層エンティティは、ＳＰＳ  Ｃ−ＲＮＴＩにアドレッシングされており、ＮＤＩビットが０に等しく、ＲＶ＝１であり、トランスポートブロックサイズが「未定義」である、受信したＵＬ  ＰＤＣＣＨを、ユーザ機器のＭＡＣ層エンティティに報告する（９０９）。ＭＡＣ層エンティティは、一般的にスケジューリングの責務を負っており、したがって、ＳＰＳに関連する動作も処理する。ＳＰＳ  Ｃ−ＲＮＴＩによってアドレッシングされており、ＮＤＩ＝０、ＲＶ＝１、ＴＢサイズ＝「未定義」であるＵＬ  ＰＤＣＣＨの受信が物理層エンティティから報告された場合、ＭＡＣ層エンティティは、ＳＰＳ有効化ＰＤＣＣＨにおけるトランスポートブロックサイズ情報が存在しないことに基づいて、上りリンクのＳＰＳリソースの解放を検出する（９１０）。したがって、ユーザ機器は、セミパーシステントなリソース割当てのための格納されているグラントを削除し、セミパーシステントなリソース割当てに従ってデータを送信（または受信）することを停止する。
【０１３９】
物理層エンティティは、ＳＰＳ  ＰＤＣＣＨにおいて２８以下の変調・符号化方式インデックスがシグナリングされていることを検出した場合、その変調・符号化方式インデックスと、リソース割当て（ＲＡ）フィールドの中の割当てリソースブロック数とから、シグナリングされたトランスポートブロックサイズを求めて、ＳＰＳ  ＰＤＣＣＨを受信したことの指示情報とともに、求めたトランスポートブロックサイズと、ＮＤＩ＝０であることと、シグナリングされた冗長バージョンとを、ユーザ機器のＭＡＣ層エンティティに提供する（９０７）。ＭＡＣ層エンティティは、物理層エンティティによって提供された情報を格納し、セミパーシステントなリソース割当てを（再）有効化する。
【０１４０】
下りリンクのＳＰＳリソース解放のための手順も、同様に実施することができる。しかしながら、この場合、変調・符号化方式インデックスが２９であるＳＰＳ  ＤＬ  ＰＤＣＣＨは、上りリンクの場合のようにＲＶではなく明示的な変調次数を示す（上の表３および表４を参照）。さらに、下りリンクでは、２９またはそれより大きい変調・符号化方式インデックスの場合にトランスポートブロックサイズが「未定義」であり、この情報が、上述した方法と類似する方法でＭＡＣ層エンティティに報告される。ＭＡＣ層エンティティは、受信したＳＰＳ  ＤＬ  ＰＤＣＣＨについて物理層エンティティから供給されたトランスポートブロックサイズ情報が存在しないことに基づいて、下りリンクのセミパーシステントなリソース割当てのＳＰＳリソースの解放を検出する。
【０１４１】
図９に関連して上述した例示的な実施形態では、ＮＤＩビット値が０に設定されているＳＰＳ  ＵＬ／ＤＬ  ＰＤＣＣＨの中で変調・符号化方式インデックス２９が送られることによって、セミパーシステントなリソース割当ての無効化がトリガーされるものと想定している。代わりに、３０または３１である変調・符号化方式インデックスを使用することもでき、あるいは、表５に示したように、変調・符号化方式インデックス２９、３９、３１のそれぞれが、上りリンク、下りリンク、上りリンクおよび下りリンクのセミパーシステントなリソース割当ての無効化をそれぞれトリガーすることもできる。
【０１４２】
図１０の流れ図は、受信したＰＤＣＣＨをユーザ機器の物理層およびＭＡＣ層において処理するための別の例示的な代替手順を示している。ここまで説明してきた実施形態においては、ＳＰＳ解放のシグナリングは、ＮＤＩビット値が０に設定されたＳＰＳ有効化ＰＤＣＣＨが使用されることを想定してきた。以下の例示的な実施形態では、ＳＰＳ再送信を示す、すなわちＮＤＩビット値が１に設定されているＰＤＣＣＨが、ＳＰＳリソースの明示的な解放を示す。再送信においては、軟合成を用いるＨＡＲＱプロトコルが使用されている場合、データパケットの送信すべて（すなわち、その最初の送信およびすべての再送信）において、トランスポートブロックサイズが一定である必要があり、そうでないと軟合成が不可能である。ＳＰＳの再送信のためのＰＤＣＣＨの中でシグナリングされるトランスポートブロックサイズが、最初の送信に使用されたトランスポートブロックサイズと異なっている場合、そのことをＳＰＳリソースの解放として解釈することができる。動的なスケジューリングの場合、再送信のトランスポートブロックサイズが最初のトランスポートブロックサイズと異なっている状況は、一般にはＨＡＲＱプロトコルエラーである。しかしながら、セミパーシステントスケジューリングの場合、この状況をＳＰＳリソース解放のトリガーとして使用することもできる。
【０１４３】
さらに図１０に関連して、この流れ図は、この例示的な方法の最も関連するステップのみを示していることに留意されたい。当然ながら、後からさらに詳しく説明するように、ユーザ機器においてＰＤＣＣＨを適切に処理するうえで要求されるさらなるステップを実行することができる。
【０１４４】
図９と同様に、ユーザ機器は、最初に、ＰＤＣＣＨを受信し（１００１）、次いで、ＣＲＣフィールドがユーザ機器のＳＰＳ  Ｃ−ＲＮＴＩによってマスクされているかをチェックすることによって、そのＰＤＣＣＨがセミパーシステントスケジューリングに関連しているか否かをチェックする（１００２）。ＰＤＣＣＨのＣＲＣがユーザ機器のＳＰＳ  Ｃ−ＲＮＴＩによってマスクされていない場合、ユーザ機器は、そのＰＤＣＣＨを、スケジューリングされている送信／受信のための動的なグラントとして処理する（１００３）。
【０１４５】
ＰＤＣＣＨが、ＳＰＳ  Ｃ−ＲＮＴＩを使用することによってユーザ機器にアドレッシングされている場合、ユーザ機器の物理層エンティティは、ＮＤＩビット値をチェックする（１００４）。ＮＤＩビットが０に等しい場合、そのＳＰＳ  ＰＤＣＣＨを、現在の標準仕様どおりにＳＰＳの有効化または再有効化として処理する（１００５）。
【０１４６】
ＮＤＩビット値が１である、すなわち、ＰＤＣＣＨがセミパーシステントなリソース割当てにおける再送信に関連していることを示している場合、ユーザ機器の物理層エンティティは、ＰＤＣＣＨにおいてシグナリングされたトランスポートブロックサイズを、変調・符号化方式インデックスと、ＰＤＣＣＨのリソース割当て（ＲＡ）フィールドに含まれている割当てリソースブロック数とから計算する（１００６）。さらに、物理層エンティティは、計算したトランスポートブロックサイズ（ＴＢＳ）と、ＰＤＣＣＨに示されているＮＤＩおよび冗長バージョン（ＲＶ）とを、ＭＡＣ層エンティティに報告する（１００７）。
【０１４７】
ユーザ機器のＭＡＣ層エンティティは、ＰＤＣＣＨ情報を、セミパーシステントにスケジューリングされたデータの再送信を示しているものと認識し、そのＰＤＣＣＨにおいてシグナリングされたトランスポートブロックサイズが、セミパーシステントにスケジューリングされた最初の送信用にシグナリングされたトランスポートブロックサイズと比較して変更されているか否かをチェックする（１００８）。トランスポートブロックサイズが変更されていない場合、ユーザ機器は、ＰＤＣＣＨのグラントに従って再送信を送信／受信する（１００９）。ステップ１００１で受信したＰＤＣＣＨにおいてシグナリングされたトランスポートブロックサイズが変更されている場合、ＭＡＣ層エンティティは、そのＰＤＣＣＨを、ＳＰＳリソースの解放として解釈する（１０１０）。したがって、ＭＡＣ層エンティティは、セミパーシステントなリソース割当てのための関連するＳＰＳグラントを解放し、セミパーシステントにスケジューリングされたデータの送信を無効にする。
【０１４８】
一般的には、上りリンクのＳＰＳを無効にすると、ユーザ機器はいかなるデータも送信しない（一般には、ユーザ機器が不連続送信（ＤＴＸ）を行う、と称する）。下りリンクのＳＰＳの無効化を受信したときのユーザ機器の応答には、いくつかの代替手順が存在する。例えば、ユーザ機器は、下りリンクＳＰＳリソース解放を示すＰＤＣＣＨを受信することに応えて、ＰＤＳＣＨを復号化せず（下りリンクデータは対応するＰＤＣＣＨと同じＴＴＩ内でＰＤＳＣＨ上で送られる）、結果として、上りリンクにおいてＡＣＫまたはＮＡＣＫを送信しない（すなわち、ＨＡＲＱフィードバックのＤＴＸ）、あるいは、ＰＤＣＣＨに対する肯定応答（ＡＣＫ）をｅＮｏｄｅ  Ｂに送ることによって、ＰＤＣＣＨの受信を肯定応答することができる。
【０１４９】
特に、現在の仕様のＬＴＥベースの移動通信システムなど、従来技術のシステムにおいては、上りリンク上でのＨＡＲＱ  ＡＣＫおよびＨＡＲＱ  ＮＡＣＫの送信は、ＰＤＣＣＨに対応する共有チャネルＰＤＳＣＨのトランスポートブロックに対して予測されるのみである。ＰＤＣＣＨ自体に対してＡＣＫまたはＮＡＣＫメッセージによって肯定応答することはできない。したがって、従来技術では、ＤＬ  ＰＤＣＣＨに符号化された下りリンクＳＰＳ解放メッセージに対して肯定応答することはできない。なお、用語ＤＬ  ＰＤＣＣＨは、本文書においては、ＰＤＳＣＨのスケジューリングに使用されるＤＣＩフォーマット（例えば、ＤＣＩフォーマット１、１Ａ、または２）を有するＰＤＣＣＨを指す目的で使用している。同様に、用語ＵＬ  ＰＤＣＣＨは、ＰＵＳＣＨをスケジューリングするために使用されるＤＣＩフォーマット（例えば、ＤＣＩフォーマット０）を有するＰＤＣＣＨであるものと理解されたい。
【０１５０】
しかしながら、本発明の実施形態によると、下りリンクＳＰＳリソースの解放を示すＤＬ  ＰＤＣＣＨに対して、ＵＥは、それに応えてＨＡＲＱ  ＡＣＫをｅＮＢに送ることによって肯定応答する。ＤＬ  ＰＤＣＣＨに対して肯定応答を返すことができることによって、ＵＥがＳＰＳ解放指示を正しく受信したかをｅＮＢが判定できるため、ＳＰＳ解放メカニズムの信頼性が高まる。ｅＮＢは、ＳＰＳ解放指示を送ったことの応答としてＨＡＲＱ  ＡＣＫが検出されない場合、下りリンクＳＰＳリソースの解放を示すＤＬ  ＰＤＣＣＨを繰り返すことができる。
【０１５１】
すでに説明したように、従来技術のシステムでは、下りリンク方向のＵＥ側のＨＡＲＱ受信器は、ＤＬ−ＳＣＨ上で受信されるトランスポートブロックを正しく受信した（および正しく復号化した）ことについて、上りリンク方向のｅＮＢ側のＨＡＲＱ送信エンティティにＨＡＲＱ  ＡＣＫまたはＨＡＲＱ  ＮＡＣＫを送ることによって肯定応答または否定応答する。ＨＡＲＱ  ＡＣＫ／ＮＡＣＫは、例えば、上り物理制御チャネル（ＰＵＣＣＨ）上で送信する、または、上り共有チャネル（ＵＬ−ＳＣＨ）上で上位層のデータと一緒に多重化することもできる。
【０１５２】
ＨＡＲＱ  ＡＣＫ／ＮＡＣＫのための上りリンクリソースの決定についてのさらなる詳細は、非特許文献５（バージョン８．４．０）の第１０．１節に記載されている。
【０１５３】
ＨＡＲＱ  ＡＣＫ／ＮＡＣＫを送信するための上りリンクリソースは、一般的には、対応してスケジューリングされる下り共有チャネル送信を示すＤＬ  ＰＤＣＣＨによって暗黙的に割り当てられる。すでに概説したように、下りリンクＳＰＳリソースの解放を示すＤＬ  ＰＤＣＣＨを受信したとき、対応するＤＬ−ＳＣＨの送信は行われておらず、すなわち、下りリンクＳＰＳリソースの解放を示すＤＬ  ＰＤＣＣＨと一緒にトランスポートブロックは送信されない。ＤＬ  ＰＤＣＣＨは、セミパーシステントスケジューリングのリソースの解放を命令するのみであり、ＤＬ−ＳＣＨ上でトランスポートブロックを受信するための物理チャネルリソースはグラント（許可）されない。しかしながら、ＵＥは、ＤＬ−ＳＣＨ上で受信されるトランスポートブロックに対するＨＡＲＱ  ＡＣＫ／ＮＡＣＫ用に割り当てられる上りリンクリソースを使用することで、解放を示すＤＬ  ＰＤＣＣＨを受信したことをＨＡＲＱ  ＡＣＫによって確認／肯定応答することができる。ＳＰＳリソースの解放を示すＤＬ  ＰＤＣＣＨの受信を確認するＨＡＲＱ  ＡＣＫのタイミングは、ＤＬ−ＳＣＨ上で受信されるトランスポートブロックの場合と同じとすることができる。
【０１５４】
上の実施形態は、ＤＬ  ＰＤＣＣＨを介しての下りリンクＳＰＳ解放に適用される。上りリンクでは、上りリンクＳＰＳ解放がＵＬ  ＰＤＣＣＨを介して送信される場合、ＳＰＳ解放手順の同じ信頼性を達成する目的で、上りリンクのＳＰＳリソースの解放を示すＵＬ  ＰＤＣＣＨの受信を、下りリンクの場合と同様にＨＡＲＱ  ＡＣＫによって確認することはできない。具体的には、上りリンクの割当ての場合、ＵＥが上りリンク上で送るＨＡＲＱ  ＡＣＫ／ＮＡＣＫ用の利用可能なリソースは存在せず、なぜなら、上りリンク方向の場合、一般にＨＡＲＱ  ＡＣＫ／ＮＡＣＫはｅＮＢによって下りリンクで送られるためである。詳細には、ＵＥは、ＰＤＣＣＨによって示される上りリンク割当てを受信すると、それに応えて、トランスポートブロックを対応するｅＮＢにＵＬ−ＳＣＨ上で送信し、ｅＮＢは、ＵＥからのトランスポートブロックを受信して復号化したことを、ＨＡＲＱ  ＡＣＫ／ＮＡＣＫによって肯定応答する。したがって、ＵＬ  ＰＤＣＣＨに対して肯定応答するためには、ＵＥのまったく新しい複雑な挙動が要求され、どのような上りリンクＳＰＳ解放メカニズムであっても、その利点が打ち消される。
【０１５５】
本発明の別の実施形態では、ＤＬ  ＰＤＣＣＨを使用して上りリンクＳＰＳリソースも解放することができ、したがって、上りリンクＳＰＳリソースの解放を示すＰＤＣＣＨを受信したことに対する肯定応答が、ＤＬ  ＰＤＣＣＨに対する肯定応答によって可能である。さらに詳細には、表５を参照しながら説明した実施形態では、上りリンク、下りリンク、上りリンク／下りリンクのＳＰＳリソースのうちどのリソースを解放すべきであるかを識別する目的で、複数のＭＣＳインデックス（例：２９、３０、３１）を使用することが可能であった。１つの利点として、下りリンク方向および上りリンク方向のＳＰＳリソースの解放を示すために、ＰＤＣＣＨの１つのＤＣＩフォーマットのみを使用すればよく、比較として他の実施形態（表１〜表４の説明を参照）では、ＵＥは、上りリンクのＳＰＳ無効化／解放と、下りリンクのＳＰＳ無効化／解放とを、ＰＤＣＣＨのＤＣＩフォーマットに基づいて区別する。
【０１５６】
例示的な一実施形態においては、下りリンクのＳＰＳリソースの解放は、ＰＤＳＣＨ送信をスケジューリングするＰＤＣＣＨであって、ＣＲＣがＳＰＳ  Ｃ−ＲＮＴＩによってマスクされており、ＮＤＩビットが０に設定されており、変調・符号化方式インデックスが３１に等しい（２進表記法では「１１１１１」）ＰＤＣＣＨによって示される。上りリンクのＳＰＳリソースの解放は、同様に、ＰＤＳＣＨ送信をスケジューリングするＰＤＣＣＨであって、ＣＲＣがＳＰＳ  Ｃ−ＲＮＴＩによってマスクされており、ＮＤＩビットが０に設定されており、変調・符号化方式インデックスが３０に等しい（２進表記法では「１１１１０」）ＰＤＣＣＨによって示される。
【０１５７】
したがって、下りリンクＳＰＳリソースを解放するためにＤＬ  ＰＤＣＣＨを使用するとき、ＤＣＩフォーマットは、例えば、１、１Ａ、または２とすることができる。さらには、ＤＣＩフォーマット１または１Ａを使用するとき、ＤＬ  ＰＤＣＣＨは、上りリンクＳＰＳリソースの解放を示すための別のＭＣＳインデックス（例えば、表５におけるＭＣＳインでック２９）を含んでいることができる。結果として、上りリンクＳＰＳリソースの解放指示に対しても、ＵＥは、上りリンクＳＰＳリソースの解放を示している受信したＤＬ  ＰＤＣＣＨに応えてＨＡＲＱ  ＡＣＫを送ることによって肯定応答することができ、したがって、上りリンクＳＰＳ無効化においても、下りリンクＳＰＳ無効化の場合と同じ高い信頼性を達成することができる。
【０１５８】
下りリンクＳＰＳリソースの解放のみならず上りリンクＳＰＳリソースの解放を示す目的にＤＣＩフォーマット１Ａを使用することは、その利点として、ＳＰＳ  Ｃ−ＲＮＴＩによってマスクされているＣＲＣを有するＰＤＣＣＨを復号化するように上位層によって設定されている各ＵＥが、ＤＣＩフォーマット１Ａを復号化することができる。さらには、ＤＣＩフォーマット１Ａは、下りリンク送信モードには関係なく、ＵＥに固有な検索空間のみならず共通の検索空間内(search space)で移動端末によって監視される。もう１つの利点として、ＤＣＩフォーマット１Ａは、セミパーシステントスケジューリングに関連する制御シグナリングに使用されるペイロードが最小であるＤＣＩフォーマットである。制御情報についてＰＤＣＣＨを監視するためのＵＥ側手順の詳細については、非特許文献５（バージョン８．４．０）の第９．１．１節に記載されている。
【０１５９】
特に、図７、図９、および図１０に関連して上述した実施形態の１つの潜在的な利点は、ＬＴＥにおいて指定されている既存のＰＤＣＣＨフィールドを変更する必要がないことと、さらに、ユーザ機器における物理層とＭＡＣ層との間のインタフェースを適合させる必要がないことである。もう１つの潜在的な利点として、ユーザ機器におけるグラント受信手順を変更する必要がない。ユーザ機器の物理層エンティティは、ＵＬ／ＤＬ  ＰＤＣＣＨを受信することができ、ＰＤＣＣＨ上の受信したリソース割当てを、対応するＨＡＲＱ情報と一緒にＭＡＣ層エンティティに報告する。ユーザ機器のＭＡＣ層エンティティは、動的にスケジューリングされる（またはセミパーシステントにスケジューリングされる）送信に対する必要な動作（すなわちＨＡＲＱ動作）を、物理層エンティティからの受信した情報に基づいて実行することができる。
【０１６０】
これとは対照的に、背景技術に説明した解決方法、すなわち、セミパーシステントなリソース割当てを無効にする目的で０のＳＰＳリソース割当てサイズ（「０ＲＢ」）を導入する解決方法では、例えば、物理層エンティティは、リソース割当てフィールドの中の「０ＲＢ」の指示情報に基づいてＳＰＳリソースの解放を検出し、それをＭＡＣ層エンティティに報告することが要求される。そのためには、ユーザ機器における物理層エンティティとＭＡＣ層エンティティとの間の新しい層間シグナリングが要求され、なぜなら、現在のＬＴＥ規格では、ＭＡＣ層エンティティがスケジューリング動作を実行する（すなわち、上述したように、ＳＰＳの有効化／再送信／リソースの解放を検出し、対応するアクションを実行する）ためである。
【０１６１】
図７、図９、および図１０に関連して上述した実施形態においては、セミパーシステントなリソース割当ての無効化を（ＮＤＩの値との組合せにおいて）示す変調・符号化方式インデックスは、トランスポートブロックサイズを示さない（すなわち、セミパーシステントスケジューリングの有効化または再有効化には適していない）インデックスであることを想定してきた。しかしながら、セミパーシステントスケジューリングを無効にする目的に、変調・符号化方式インデックスのうち、トランスポートブロックサイズ情報を提供しないインデックス（例えば、上の表１〜表５に示したインデックス２９、３０、３１）を１つだけ使用することは、必須条件ではないことに留意されたい。一般的には、変調・符号化方式フィールドの与えられたサイズに従って表現可能な変調・符号化方式インデックス（例：５ビットならば３２個のインデックス）のうち、任意の変調・符号化方式インデックスを、ＳＰＳリソースの解放を示す目的に予約することが可能である。当然ながら、選択された変調・符号化方式インデックスは、ＳＰＳの有効化または再有効化に使用することはできない。
【０１６２】
しかしながら、ＰＤＣＣＨフィールドのいくつかに特定の既知の値を設定することによってＳＰＳの誤有効化率の低減を試みるとき、有効なトランスポートブロックサイズを示す変調・符号化方式インデックスを選択する方式は、やはり有利である。本発明の例示的な一実施形態によると、利用可能な変調・符号化方式インデックスのセットのうち限られた数の変調・符号化方式インデックスを、セミパーシステントスケジューリングを有効化または再有効化するＰＤＣＣＨにおいて使用できるインデックスとして許可することができる。「許可されるインデックス」は、例えば、最上位ビットが０である変調・符号化方式インデックスとすることができ、したがって、セミパーシステントスケジューリングの有効化または再有効化に使用できる変調・符号化方式インデックスの許可される範囲は、上の表１〜表４に例示したように５ビットの変調・符号化方式フィールドを一例として考えるならば、インデックス０〜１５に制約される。ＳＰＳの（再）有効化を示しており（ＣＲＣがＳＰＳ  Ｃ−ＲＮＴＩによってマスクされておりＮＤＩビット値が０に設定されている）、かつ、許可される範囲外の変調・符号化方式インデックスを示している（すなわち、ＰＤＣＣＨに示されている変調・符号化方式インデックスが１５より大きい）ＰＤＣＣＨは、ユーザ機器の物理層エンティティによって無視され、すなわち、そのＰＤＣＣＨはＭＡＣ層エンティティに報告されず、したがって、セミパーシステントスケジューリングが有効にされない。この実施形態によると、セミパーシステントスケジューリングの有効化に許可される１６個の変調・符号化方式インデックスのうちの１つを、セミパーシステントスケジューリングの無効化を示す目的に選択しなければならない。例えば、ＳＰＳの（再）有効化に使用される許可範囲の変調・符号化方式インデックスの中で最大の変調・符号化方式インデックス（例：変調・符号化方式インデックス１５）が、ＳＰＳリソースの解放を示すものと定義することができる。しかしながら、この方式では、ＳＰＳの（再）有効化に実質的に使用できる変調・符号化方式インデックスの数が減少する。
【０１６３】
別のオプションとしては、上述したように、使用可能な変調・符号化方式インデックスのうちのサブセットのみを、セミパーシステントスケジューリングの有効化または再有効化に許可する一方で、ＳＰＳリソースの明示的な解放指示には、セミパーシステントスケジューリングの有効化には無効である他の変調・符号化方式インデックスの１つまたはすべてを使用することができる。例えば、変調・符号化方式インデックス０〜１５が、セミパーシステントスケジューリングを有効にするための許可されるインデックスとして定義されている場合、変調・符号化方式インデックス１６を、対応するＳＰＳリソースを解放するようにユーザ機器に命令する目的に使用することができる。ＳＰＳを有効にするのに使用可能である変調・符号化方式インデックスのうちの１つを、ＳＰＳリソースの解放指示として定義する解決方法と比較すると、このオプションの利点は、ｅＮｏｄｅ  Ｂが、ＳＰＳの有効化に使用できるインデックスの中から選択するときの自由度が高いことである。
【０１６４】
しかしながら、この実施形態およびオプションでは、ユーザ機器の物理層の動作を変更することが要求され、さらに、実施形態によってはユーザ機器における物理層エンティティとＭＡＣ層エンティティとの間のさらなる層間通信も要求される。ＭＡＣ層エンティティには、ＰＤＣＣＨにおいてシグナリングされたトランスポートブロックサイズが通知されるのみであるため、実際にシグナリングされた変調・符号化方式インデックスは知らされない。ユーザ機器に割り当てられるリソースブロック数によっては、異なる変調・符号化方式インデックスから求められるトランスポートブロックサイズが同じになりうるため、ＭＡＣ層エンティティは、実際にシグナリングされた変調・符号化方式インデックスを結論することはできない。したがって、ＳＰＳ  ＰＤＣＣＨにおけるＮＤＩビット値および変調・符号化方式インデックスをチェックすることによって、ＰＤＣＣＨがＳＰＳの無効化をシグナリングしていることが検出されるように、物理層エンティティにおけるＰＤＣＣＨの処理を適合させる必要がある。
【０１６５】
したがって、物理層エンティティは、ＰＤＣＣＨにおけるＮＤＩビット値が０に設定されており、変調・符号化方式フィールドが、（所定の）インデックス（例えば、ＳＰＳの有効化には無効である変調・符号化方式インデックス）を含んでいるときには、それに応えて、「未定義の」トランスポートブロックサイズをＭＡＣ層エンティティに示すことによって、ＳＰＳリソースの解放をＭＡＣ層エンティティに通知することができる。この方法の場合、物理層エンティティにおけるＰＤＣＣＨの処理の変更が要求されるのみであり、物理層とＭＡＣ層との間の新しい層間通信は必要ない。これに代えて、ユーザ機器における物理層エンティティとＭＡＣ層エンティティとの間の層間通信を導入することによって、ＳＰＳリソースの解放であることを物理層エンティティがＭＡＣ層エンティティに明示的に通知することができる。
【０１６６】
次に、本発明の第２の態様による、本発明のさらなる実施形態について、図８、図１１、図１２、図１３を参照しながら説明する。ＮＤＩビット値と（１つまたは複数の）変調・符号化方式インデックスの所定の（１つまたは複数の）組合せを使用してＳＰＳリソースの解放をシグナリングする実施形態とは異なり、図８、図１１、図１２、図１３を参照しながら説明する以下の実施形態では、ＳＰＳリソースの解放をユーザ機器に示す、特別に指定されたトランスポートブロックサイズを使用する。本発明のこの代替態様による実施形態は、ＳＰＳの誤有効化率を低減することを目的とする、３ＧＰＰ内で現在検討されているいくつかの手法と組み合わせることができ（上の背景技術を参照）、これは有利である。誤アラーム率を許容レベルまで下げるための一手段は、ＰＤＣＣＨフィールドのうちセミパーシステントスケジューリングに有用ではないフィールドのいくつかに、特定の既知の値／インデックスを設定することによって、ＣＲＣの長さを仮想的に拡張することである。さらには、本発明の一実施形態において使用される別の可能な方法は、ＳＰＳの有効化に許可されるトランスポートブロックサイズのセットを制限することである。
【０１６７】
現在のＬＴＥ仕様においては、セミパーシステントスケジューリングは、メッセージを使用するＲＲＣシグナリングによって設定され、メッセージは、セミパーシステントスケジューリングに関連するパラメータを含んでいる。このメッセージは、ＳＰＳの周期性（図６におけるＳＰＳ間隔）と、（下りリンクのセミパーシステントスケジューリング動作の場合の）ＨＡＲＱプロセス情報とを含んでいる。
【０１６８】
この例示的な実施形態によると、セミパーシステントスケジューリングを設定するためのＲＲＣシグナリングメッセージは、許可されるトランスポートブロックサイズ（すなわち、ＳＰＳの有効化または再有効化に関連して使用できるトランスポートブロックサイズ）に関する情報を、さらに含んでいる。ＭＡＣ層エンティティは、ＳＰＳの有効化のためのＰＤＣＣＨを受信するたびに、そのＰＤＣＣＨにおいて示されたトランスポートブロックサイズが、許可されているトランスポートブロックサイズのセットの中に含まれているか（すなわち、ＳＰＳの有効化に使用可能なトランスポートブロックサイズであるか）をチェックする。ＰＤＣＣＨにおいてシグナリングされるトランスポートブロックサイズは、割当てリソースブロック数と変調・符号化方式とに依存するため、１つの代替方法として、ＳＰＳの有効化または再有効化に使用できるトランスポートブロックサイズの範囲を示すため、許可される最小および最大のトランスポートブロックサイズをＳＰＳ設定メッセージの中でシグナリングする。この最小値と最大値との間のすべてのトランスポートブロックサイズは、ＳＰＳの有効化または再有効化に使用可能なトランスポートブロックサイズである。なお、セミパーシステントスケジューリングの（再）有効化に許可されるトランスポートブロックサイズを制限するためのさらなる代替方法も存在し、例えば、有効なトランスポートサイズに対応する変調・符号化方式インデックスおよびリソース割当てサイズを、ＲＲＣを介してシグナリングする。
【０１６９】
ＳＰＳリソースの解放を示す目的で、ＲＲＣプロトコルをさらに変更することができ、ＰＤＣＣＨにおいてシグナリングされたときにＳＰＳリソースの解放を示す所定のトランスポートブロックサイズを、ＳＰＳ設定に関連するパラメータに含める。このトランスポートブロックサイズを、以下では「解放ＴＢＳ」と称する。図１２は、本発明の例示的な実施形態によるＳＰＳ設定メッセージを例示的に示しており、指定された解放ＴＢＳ値を示す「解放ＴＢＳ」フィールドが含まれている。
【０１７０】
図８は、本発明の例示的な実施形態による、ユーザ機器とｅＮｏｄｅ  Ｂとの間で上りリンクのセミパーシステントなリソース割当てを無効にするための例示的なシグナリング手順を示しており、ＲＲＣによって設定される解放ＴＢＳを使用して、ユーザ機器へのセミパーシステントなリソース割当てを無効にする。この図８における例示的な実施形態によるセミパーシステントスケジューリングの無効化は、図７におけるシグナリングと比較したときの利点として、ＰＤＣＣＨは、セミパーシステントスケジューリングの無効化を命令するのみならず、最後のデータパケットを受信／送信するための物理チャネルリソースも許可する。
【０１７１】
図８におけるシグナリングは、図７に示したシグナリングと本質的には類似している。しかしながら、セミパーシステントなリソース割当てを無効にするためのＳＰＳ  ＵＬ  ＰＤＣＣＨ（ＳＰＳ  ＵＬ  ＰＤＣＣＨ（無効化））は、解放ＴＢＳを与えており、これは、このトランスポートブロックサイズに対応する割当てリソースブロック数および変調・符号化方式インデックスをシグナリングすることによる。図７におけるシグナリングとのさらなる違いとして、上述したように、ＳＰＳ  ＵＬ  ＰＤＣＣＨ（無効化）は、ユーザ機器におけるセミパーシステントなリソース割当ての無効化をトリガーするのみならず、これと同時に、ＳＰＳ  ＵＬ  ＰＤＣＣＨ（無効化）の中でシグナリングされるリソース割当ておよびトランスポートフォーマットを使用してさらなる１回の送信を行うことができるように、動的なグラントも提供する。すなわち、この例においては、ＵＥは、ＳＰＳ  ＵＬ  ＰＤＣＣＨ（無効化）を受信した時点で、上りリンクのセミパーシステントスケジューリングを無効にし、さらに、ＳＰＳ  ＵＬ  ＰＤＣＣＨ（無効化）の中でシグナリングされた上りリンク割当てに従って、１回の最初の上りリンクデータ送信（ＳＰＳ  ＵＬ  ＰＤＣＣＨ（無効化）からの動的なグラントによる最初の送信）と、対応する再送信（必要時）とを行う。
【０１７２】
図８における例は、上りリンクのセミパーシステントスケジューリングに関連しているが、このコンセプトは、下りリンクのセミパーシステントスケジューリングにも等しく適用できることに留意されたい。後者の場合、ＳＰＳ  ＤＬ  ＰＤＣＣＨ（無効化）は、ＳＰＳ  ＤＬ  ＰＤＣＣＨ（無効化）に示されるリソースおよびトランスポートフォーマットを用いての下りリンク送信と、さらには、ユーザ機器における下りリンクのセミパーシステントスケジューリングの無効化とを示す。例えば、ｅＮｏｄｅ  Ｂは、セミパーシステントスケジューリングの解放をシグナリングすると同時に、セミパーシステントにスケジューリングされたリソースを使用するベアラ（すなわち、ＶｏＩＰベアラ）を解放するためのＲＲＣメッセージをシグナリングすることができる。
【０１７３】
図１１は、ＳＰＳリソースの解放をユーザ機器に示すために解放ＴＢＳを使用する場合における、本発明の別の実施形態による、ユーザ機器の中の物理層エンティティ、ＭＡＣ層エンティティ、およびＲＲＣエンティティの動作の流れ図を示している。図１１では、上りリンクのセミパーシステントスケジューリングと下りリンクのセミパーシステントスケジューリングとを区別していないが、この流れ図に示した基本的なステップは両方のケースに等しく適用される。
【０１７４】
上述したように、ユーザ機器のセミパーシステントスケジューリングは、例えば図１２または図１３に例示的に示した対応するＲＲＣ設定メッセージ（サービング基地局によって送られる）によって設定される（１１０１）。したがって、ユーザ機器のＲＲＣエンティティは、このような設定メッセージを受信したとき、解放ＴＢＳ（ＴＢＳｒｅｌｅａｓｅ）を認識する。ＲＲＣエンティティは、解放ＴＢＳをＭＡＣ層エンティティに提供し（１１０２）、ＭＡＣ層エンティティはこの解放ＴＢＳを格納する（１１０３）。
【０１７５】
ユーザ機器の物理層エンティティは、ＰＤＣＣＨを受信すると（１１０４）、そのＰＤＣＣＨのＣＲＣフィールドが、ｅＮｏｄｅ  Ｂによってユーザ機器のＳＰＳ  Ｃ−ＲＮＴＩでマスクされているか、すなわち、ＰＤＣＣＨがユーザ機器を宛先としているか、およびセミパーシステントスケジューリングに関連しているかを、チェックする（１１０５）。ＰＤＣＣＨのＣＲＣフィールドがユーザ機器のＳＰＳ  Ｃ−ＲＮＴＩによってマスクされていない場合、物理層エンティティは、そのＰＤＣＣＨを動的グラントとして処理する（１１０６）。マスクされている場合、物理層エンティティは、次に、ＮＤＩビット値が０に設定されているかを調べ（１１０７）、これにより、ＳＰＳ  ＰＤＣＣＨが、セミパーシステントスケジューリングの有効化または無効化に関連しているか、あるいは、セミパーシステントにスケジューリングされた最初の送信の再送信に関連しているかを検出する。ＳＰＳ  ＰＤＣＣＨが、セミパーシステントにスケジューリングされた最初の送信の再送信のＰＤＣＣＨである場合、それに応じてＳＰＳ  ＰＤＣＣＨをさらに処理する（１１０８）。
【０１７６】
ＳＰＳ  ＰＤＣＣＨが、セミパーシステントスケジューリングの有効化または無効化を示している場合、物理層エンティティは、ＳＰＳ  ＰＤＣＣＨにおいてシグナリングされたトランスポートブロックサイズ（ＴＢＳ）を計算し（１１０９）、そのトランスポートブロックサイズと、ＳＰＳ  ＰＤＣＣＨにおいてシグナリングされたＮＤＩおよび冗長バージョン（ＲＶ）とを、ＭＡＣ層エンティティに報告する（１１１０）。ＭＡＣ層エンティティは、ＳＰＳ  ＰＤＣＣＨがセミパーシステントスケジューリングの有効化をシグナリングしているのか無効化をシグナリングしているのかを結論する目的で、ＳＰＳ  ＰＤＣＣＨが解放ＴＢＳ（ＴＢＳｒｅｌｅａｓｅ）に等しいトランスポートブロックサイズ（ＴＢＳ）を示しているかをチェックする（１１１１）。
【０１７７】
ユーザ機器のＭＡＣ層エンティティは、ＳＰＳ  ＰＤＣＣＨの中でシグナリングされたトランスポートブロックサイズ（ＴＢＳ）が解放ＴＢＳに等しいものと判定すると、対応するＳＰＳリソースを解放し（１１１３）、セミパーシステントスケジューリングを無効にする。さらに、ユーザ機器は、受信したＳＰＳ  ＰＤＣＣＨを動的な割当ての場合と同様に処理し、それに応じてデータパケットを送信／受信する。解放ＴＢＳに等しくない場合、ＭＡＣ層エンティティは、ＳＰＳ  ＰＤＣＣＨがセミパーシステントスケジューリングの有効化をシグナリングしているものと結論する。したがって、ＭＡＣ層エンティティは、ＳＰＳ  ＰＤＣＣＨのグラントを格納／更新し（１１１２）、セミパーシステントなリソース割当てを（再）有効化する。
【０１７８】
「解放ＴＢＳ」は、ＳＰＳを有効にするのに使用可能なトランスポートブロックサイズの範囲の外側の（最小ＴＢＳと最大ＴＢＳによって定義される範囲の外側の）トランスポートブロックサイズとすることができ、あるいは、ＳＰＳを有効にするために許可されているトランスポートブロックサイズの範囲内のトランスポートブロックサイズとすることができる。
【０１７９】
図８、図１１、図１２に関連して上述した解放ＴＢＳの方法は、ＮＤＩビット値と変調・符号化方式インデックスの組合せを使用してＳＰＳリソースの解放をシグナリングする前述した解決方法と比較して、１つの潜在的な利点がある。前述した解決方法では、ＳＰＳリソースを解放する目的にＰＤＣＣＨ全体が必要である。このタイプの解放ＰＤＣＣＨでは、ＰＤＳＨＣまたはＰＵＳＣＨの割当てを行うことができない、すなわち、ＮＤＩビット値と変調・符号化方式インデックスの所定の組合せをシグナリングする解放ＰＤＣＣＨは、上りリンク送信または下りリンク受信のためのリソースを割り当てる目的に使用することはできず、なぜなら、トランスポートブロックサイズ情報を与えない変調・符号化方式インデックスが、ＳＰＳリソースの解放を示すＮＤＩビット値と変調・符号化方式インデックスの組合せにおいて使用され、ＰＤＣＣＨによってトランスポートブロックサイズ情報を提供できないためである。
【０１８０】
これとは対照的に、上述した解放ＴＢＳを定義する方法では、解放ＰＤＣＣＨによってＰＤＳＣＨまたはＰＵＳＣＨを割り当てることが可能である。図８に関連して上述したように、ユーザ機器は、解放ＴＢＳを示すＳＰＳ  ＰＤＣＣＨを受信すると、対応するＳＰＳリソースを解放し、通常の動的なグラントを受信した場合のように、ＳＰＳ  ＰＤＣＣＨによってシグナリングされた割当てに従う。ユーザ機器は、たとえＰＤＣＣＨがＳＰＳ  Ｃ−ＲＮＴＩによってアドレッシングされていても、ＳＰＳリソースの解放指示と平行して、動的なリソース割当てを受信したように動作することに留意されたい。したがって、解放ＴＢＳを定義する方法は、ＰＤＣＣＨのリソース使用に関して、ＮＤＩビット値および変調・符号化方式インデックスの「解放の組合せ」を定義する方法と比較して、より効率的である。
【０１８１】
その一方で、解放ＴＢＳを定義する方法では、ユーザ機器に解放ＴＢＳを通知する必要があるため、セミパーシステントスケジューリングを設定するＲＲＣメッセージの変更が導入される。ＲＲＣメッセージを介して解放ＴＢＳを設定するためのシグナリングオーバーヘッドを回避する目的で、解放ＴＢＳを所定の値とすることができる。図１２の例示的なＲＲＣメッセージのフォーマットを考えると、１つのオプションとして、「解放ＴＢＳ」フィールドを削除し、セミパーシステントスケジューリングを無効にするための解放ＴＢＳを暗黙的に指定する、すなわち、「最小ＴＢＳ」フィールドまたは「最大ＴＢＳ」フィールドが、ＳＰＳの（再）有効化に許可されるトランスポートブロックサイズの有効範囲を示すのみではなく、これら２つのトランスポートブロックサイズの一方が解放ＴＢＳも示すことができる。
【０１８２】
あるいは、セミパーシステントスケジューリングにおける（リソースブロックで表される）利用可能なリソース割当てサイズと利用可能な変調・符号化方式とによって、ＰＤＣＣＨにおいてシグナリングできる最小または最大のトランスポートブロックサイズが決まることを考慮すると、ＰＤＣＣＨにおいてシグナリングすることのできる最小のトランスポートブロックサイズまたは最大のトランスポートブロックサイズによって、解放ＴＢＳを暗黙的に示す（すなわち定義する）ことができる。この代替方法では、ＳＰＳリソースの解放を示すトランスポートブロックサイズが、ＳＰＳの有効化に使用可能なトランスポートブロックサイズの範囲内である必要がない。
【０１８３】
さらには、セミパーシステントスケジューリングの解放ＴＢＳを定義するときにも、上の表５に関連して説明した例と同様に、上りリンク、下りリンク、および上りリンク／下りリンクのセミパーシステントスケジューリングに対する個々の解放ＴＢＳを定義することができる。図１３はこれを例示的に示しており、ＵＬ解放ＴＢＳ、ＤＬ解放ＴＢＳ、およびＵＬ＆ＤＬ解放ＴＢＳの各フィールドは、それぞれ、上りリンク、下りリンク、および上りリンク／下りリンクのＳＰＳリソースの解放を示すトランスポートブロックサイズを、個別に示している。この例においては、オプションとして、ＳＰＳ  ＤＬ  ＰＤＣＣＨまたはＳＰＳ  ＵＬ  ＰＤＣＣＨにおいてＳＰＳリソース解放が示された場合にのみ、ＳＰＳリソースが解放されるように定義することが、さらに可能である。
【０１８４】
セミパーシステントスケジューリングの無効化を解放ＴＢＳを使用して示す本発明の第２の態様のさらなるバリエーションとして、ｅＮｏｄｅ  ＢのＲＲＣエンティティが、解放ＴＢＳをシグナリングする代わりに、変調・符号化方式インデックスおよびリソース割当てサイズの１つの組合せをシグナリングすることもできる。このバリエーションで異なる点として、変調・符号化方式インデックスおよびリソース割当てサイズ値の複数の組合せが、結果として同じＴＢＳサイズに対応することがある。この場合、ＳＰＳリソースの解放であるのかを物理層がチェックする、すなわち、ＲＲＣによってシグナリングされた変調・符号化方式インデックスとリソース割当てサイズの組合せが、ＳＰＳ  ＰＤＣＣＨによって受信されているかをチェックし、結果に応じてＭＡＣ層に通知することが要求される。
【０１８５】
図９〜図１１の流れ図においては、物理層エンティティが、ＰＤＣＣＨのＣＲＣフィールドがユーザ機器のＳＰＳ  Ｃ−ＲＮＴＩによってマスクされているか否かを最初にチェックするものと説明してきた。当然ながら、物理層エンティティは、ＰＤＣＣＨのＣＲＣフィールドがユーザ機器のＣ−ＲＮＴＩによってマスクされているか否かを最初にチェックすることで、ＰＤＣＣＨが動的なグラントであるかを判定し、動的なグラントではない場合、次いで、ＰＤＣＣＨのＣＲＣフィールドがユーザ機器のＳＰＳ  Ｃ−ＲＮＴＩによってマスクされているか否かをチェックすることもできる。
【０１８６】
本発明の別の実施形態は、上述したさまざまな実施形態をハードウェアおよびソフトウェアを使用して実施することに関する。本発明のさまざまな実施形態は、コンピューティングデバイス（プロセッサ）を使用して実施または実行できることが認識される。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブルロジックデバイスとすることができる。本発明のさまざまな実施形態は、これらのデバイスの組合せによって実行あるいは具体化することもできる。
【０１８７】
さらに、本発明のさまざまな実施形態は、ソフトウェアモジュールによって実施することもでき、これらのソフトウェアモジュールは、プロセッサによって実行される、あるいはハードウェアにおいて直接実行される。さらに、ソフトウェアモジュールとハードウェア実装とを組み合わせることも可能である。ソフトウェアモジュールは、任意の種類のコンピュータ読み取り可能な記憶媒体、例えば、ＲＡＭ、ＥＰＲＯＭ、ＥＥＰＲＯＭ、フラッシュメモリ、レジスタ、ハードディスク、ＣＤ−ＲＯＭ、ＤＶＤなどに格納することができる。
【０１８８】
さらには、移動端末および移動局という用語は、本文書においては同義語として使用していることに留意されたい。ユーザ機器は、移動局の一例と考えることができ、３ＧＰＰベースのネットワーク（例えばＬＴＥ）において使用するための移動端末を意味する。
【０１８９】
ここまで、本発明のさまざまな実施形態およびそれらのバリエーションについて説明してきた。具体的な実施形態において示した本発明には、広義に記載されている本発明の概念または範囲から逸脱することなく膨大なバリエーションもしくは変更形態を創案できることが、当業者には理解されるであろう。
【０１９０】
さらには、実施形態のほとんどは、３ＧＰＰベースの通信システムに関連して概説してあり、ここまでの説明で使用している用語は主として３ＧＰＰの用語に関連している。しかしながら、用語と、さまざまな実施形態の説明とが、３ＧＰＰベースのアーキテクチャに関連していることは、本発明の原理および発想がそのようなシステムに限定されることを意図するものではない。
【０１９１】
さらに、上の背景技術における詳しい説明は、本明細書に記載されている、ほとんどが３ＧＰＰに固有な例示的な実施形態を深く理解することを目的としており、移動通信ネットワークにおけるプロセスおよび機能の、説明した特定の実装形態に本発明を制限するものではないことを理解されたい。しかしながら、本文書に提案した改良・改善は、背景技術に記載したアーキテクチャにおいてただちに適用することができる。さらには、本発明のコンセプトは、３ＧＰＰによって現在議論されているＬＴＥ  ＲＡＮにおいてもただちに使用することができる。
【図１】
0005396476.tif 000007
【図２】
0005396476.tif 000008
【図３】
0005396476.tif 000009
【図４】
0005396476.tif 000010
【図５】
0005396476.tif 000011
【図６】
0005396476.tif 000012
【図７】
0005396476.tif 000013
【図８】
0005396476.tif 000014
【図９】
0005396476.tif 000015
【図１０】
0005396476.tif 000016
【図１１】
0005396476.tif 000017
【図１２】
0005396476.tif 000018
【図１３】
0005396476.tif 000019